(57)【要約】【課題】流路の切り替え操作の操作力の顕著な低減を実現することができるシャワーヘッドを提供すること。【解決手段】本発明は、複数の吐水モードを切り替えることができるシャワーヘッドであって、給水源からの水が貯留される貯留室と、前記貯留室に対して当該シャワーヘッドの吐水面側に設けられ、前記複数の吐水モードに対応する複数の流路を有する二次側流路部材と、前記複数の流路の各々と前記貯留室との連通ないし遮断を制御する複数のダイヤフラム弁と、を備えたことを特徴とするシャワーヘッドである【選択図】図４
2020044321.tif 000002
【特許請求の範囲】
【請求項１】
水を複数の吐水口へ導く流路を有するシャワーヘッドであって、
前記流路内に変位可能に支持された主弁体と、
前記主弁体に対して前記流路の上流側に隣接し、当該流路の上流側から供給される水を収容し、当該水の圧力を利用して前記主弁体を閉弁方向に付勢する背圧室と、
前記流路の下流側と前記背圧室とを連通するパイロット孔と、
前記パイロット孔の開閉状態を選択的に制御するパイロット弁と、
使用者の操作によって、前記パイロット弁による前記パイロット孔の開閉状態を切り替える操作部と、
を備えたことを特徴とするシャワーヘッド。
【請求項２】
水を複数の吐水口へ導く流路を有するシャワーヘッドであって、
前記流路内に各々変位可能に支持された複数の主弁体と、
前記複数の主弁体の各々に対して前記流路の上流側に隣接し、当該流路の上流側から供給される水を収容し、当該水の圧力を利用して前記複数の主弁体をそれぞれ閉弁方向に付勢する複数の背圧室と、
前記流路の下流側と前記複数の背圧室の各々とを連通する複数のパイロット孔と、
前記複数のパイロット孔の開閉状態を選択的に制御するパイロット弁と、
使用者の操作によって、前記パイロット弁による前記複数のパイロット孔の開閉状態を切り替える操作部と、
を備えたことを特徴とするシャワーヘッド。
【請求項３】
前記パイロット弁は、複数の連通孔を有しており、
前記複数の連通孔の各々は、各主弁体の背圧室に設けられた背圧室流出孔と選択的に連通することで当該主弁体のパイロット孔を解放するようになっている
ことを特徴とする請求項２に記載のシャワーヘッド。
【請求項４】
複数の吐水モードを切り替えることができるシャワーヘッドであって、
給水源からの水が貯留される貯留室と、
前記貯留室に対して当該シャワーヘッドの吐水面側に設けられ、前記複数の吐水モードに対応する複数の流路を有する二次側流路部材と、
前記複数の流路の各々と前記貯留室との連通ないし遮断を制御する複数のダイヤフラム弁と、
を備えたことを特徴とするシャワーヘッド。
【請求項５】
前記複数のダイヤフラム弁は、２個のダイヤフラム弁であり、
各ダイヤフラム弁の背圧室と前記貯留室外の空間とを連通させるためのパイロット孔が、当該２個のダイヤフラム弁の配置の中間側の領域に集約的に設けられていて、共通のパイロット弁によって開閉されるようになっている
ことを特徴とする請求項２に記載のシャワーヘッド。
【請求項６】
前記複数のダイヤフラム弁は、環状に配置された３個以上のダイヤフラム弁であり、
各ダイヤフラム弁の背圧室と前記貯留室外の空間とを連通させるためのパイロット孔が、当該３個以上のダイヤフラム弁の配置の中心側の領域に集約的に設けられていて、共通のパイロット弁によって開閉されるようになっている
ことを特徴とする請求項４に記載のシャワーヘッド。
【請求項７】
前記共通のパイロット弁は、それ自身の回転軸回りに回転可能に支持されたディスク部材として構成され、外周部に歯を有している
ことを特徴とする請求項５または６に記載のシャワーヘッド。
【請求項８】
前記ディスク部材は、樹脂製である
ことを特徴とする請求項７に記載のシャワーヘッド。
【請求項９】
前記ディスク部材は、複数の連通孔を有しており、
前記複数の連通孔の各々は、前記ディスク部材の回転位置に応じて、各ダイヤフラム弁の背圧室に設けられた背圧室流出孔と選択的に連通することで当該ダイヤフラム弁のパイロット孔を解放するようになっている
ことを特徴とする請求項７または８に記載のシャワーヘッド。
【請求項１０】
前記背圧室流出孔と前記ディスク部材との間には、ディスク押え部材が介在しており、
前記ディスク押え部材には、各ダイヤフラム弁の背圧室流出孔と連通する流出連通路が設けられており、
前記ディスク押え部材は、付勢手段によって、前記ディスク部材を前記背圧室流出孔から遠ざける方向に押し付けるようになっている
ことを特徴とする請求項９に記載のシャワーヘッド。
【請求項１１】
各流出連通路は、管状部によって構成されており、
各管状部は、対応する前記背圧室流出孔内に挿入されており、
各管状部と前記背圧室流出孔との間には、隙間が残存するようになっており、
前記隙間は、背圧室流入孔として機能するようになっている
ことを特徴とする請求項７に記載のシャワーヘッド。
【請求項１２】
使用者が操作力を与える操作部と、
前記操作部の操作の度にそれ自身の軸線方向に往復移動する棒部と、
前記棒部の先端側に取り付けられ、前記ディスク部材の歯と係合する爪を有する爪部材と、
を更に備え、
前記棒部の移動中に、前記爪が前記歯を引き込むことによって、前記ディスク部材が回転されるようになっている
ことを特徴とする請求項７に記載のシャワーヘッド。
【請求項１３】
前記棒部の基端は、前記操作部に接続されており、
前記棒部の周囲には、コイルバネが配置されており、
前記コイルバネの基端は、シャワーヘッド筐体に対して固定されており、
前記コイルバネの先端は、前記爪部材に固定されており、
前記棒部の先端には、前記爪部材のストッパが取り付けられており、
前記爪部材は、前記コイルバネの変形によって、前記棒部に対して相対移動可能である
ことを特徴とする請求項１２に記載のシャワーヘッド。
【請求項１４】
前記複数のダイヤフラム弁は、一部品のダイヤフラム部材として一体化されている
ことを特徴とする請求項１乃至１３のいずれかに記載のシャワーヘッド。
【請求項１５】
前記ダイヤフラム部材は、周囲にシール部を有している
ことを特徴とする請求項１４に記載のシャワーヘッド。
【請求項１６】
各ダイヤフラム弁は、弾性部材によって閉鎖方向に付勢されている
ことを特徴とする請求項１乃至１５のいずれかに記載のシャワーヘッド。
【発明の詳細な説明】
【技術分野】
【０００１】
本発明は、シャワーヘッドに関し、特には流路切り替え機能を有するシャワーヘッドに関する。
【背景技術】
【０００２】
流路切り替え機能を有するシャワーヘッドは、通常、一つのディスク部材（分水盤とも称される）と、当該ディスク部材を回転させて流路の切り替えを実現する駆動機構と、を含んでいる。動作方式の違いにより、駆動機構は、ボタンを押す動作を利用する駆動機構、表面蓋を回転する動作を利用する駆動機構、揺動動作を利用する駆動機構、等が開発されている。
【０００３】
特許文献１に記載されたシャワーヘッドは、分水盤（ディスク部材）の上面側で水圧を受ける面積と分水盤の下面側で水圧を受ける面積とを大体同じにして、分水盤の上面側の水圧の作用力と分水盤の下面側の水圧の作用力とを大体同じにすることで、分水盤の回転力を軽くして、操作性を向上させている。
【先行技術文献】
【特許文献】
【０００４】
【特許文献１】特開２０１６−１４０７６７号公報
【発明の概要】
【発明が解決しようとする課題】
【０００５】
このようにディスク部材を摺動させて流路を切り替える場合、摺動性を高めるためにグリスを塗布することが一般的に行われている。しかしながら、グリスの塗布量によって切り替え操作の操作力がばらついてしまう、グリスが流出により漸減してしまい長期間使用後に切り替え操作の操作力が高まる恐れがある、などの問題が存在していた。
【０００６】
本発明は、以上のような知見に基づいてなされたものである。本発明の目的は、流路の切り替え操作の操作力の顕著で安定した低減を実現することができるシャワーヘッドを提供することである。
【課題を解決するための手段】
【０００７】
本発明は、水を複数の吐水口へ導く流路を有するシャワーヘッドであって、前記流路内に変位可能に支持された主弁体と、前記主弁体に対して前記流路の上流側に隣接し、当該流路の上流側から供給される水を収容し、当該水の圧力を利用して前記主弁体を閉弁方向に付勢する背圧室と、前記流路の下流側と前記背圧室とを連通するパイロット孔と、前記パイロット孔の開閉状態を選択的に制御するパイロット弁と、使用者の操作によって、前記パイロット弁による前記パイロット孔の開閉状態を切り替える操作部と、を備えたことを特徴とするシャワーヘッドである。
【０００８】
本発明によれば、パイロット弁によるパイロット孔の開閉状態の切り替えによって主弁体の開閉が制御されるため、グリスを利用することなく、長期間に亘って安定的に切り替え操作の操作力の顕著な低減を実現することができる。
【０００９】
あるいは、本発明は、水を複数の吐水口へ導く流路を有するシャワーヘッドであって、前記流路内に各々変位可能に支持された複数の主弁体と、前記複数の主弁体の各々に対して前記流路の上流側に隣接し、当該流路の上流側から供給される水を収容し、当該水の圧力を利用して前記複数の主弁体をそれぞれ閉弁方向に付勢する複数の背圧室と、前記流路の下流側と前記複数の背圧室の各々とを連通する複数のパイロット孔と、前記複数のパイロット孔の開閉状態を選択的に制御するパイロット弁と、使用者の操作によって、前記パイロット弁による前記複数のパイロット孔の開閉状態を切り替える操作部と、を備えたことを特徴とするシャワーヘッドである。
【００１０】
本発明によれば、パイロット弁による複数のパイロット孔の開閉状態の切り替えによって複数の主弁体の開閉が制御されるため、グリスを利用することなく、長期間に亘って安定的に切り替え操作の操作力の顕著な低減を実現することができる。
【００１１】
この場合、前記パイロット弁は、複数の連通孔を有しており、前記複数の連通孔の各々は、各主弁体の背圧室に設けられた背圧室流出孔と選択的に連通することで当該主弁体のパイロット孔を解放するようになっていることが好ましい。
【００１２】
これによれば、複数の主弁体のパイロット孔の開閉制御をより高い自由度で設計することができ、より多様な切り替え制御を実現することができる。
【００１３】
あるいは、本発明は、複数の吐水モードを切り替えることができるシャワーヘッドであって、給水源からの水が貯留される貯留室と、前記貯留室に対して当該シャワーヘッドの吐水面側に設けられ、前記複数の吐水モードに対応する複数の流路を有する二次側流路部材と、前記複数の流路の各々と前記貯留室との連通ないし遮断を制御する複数のダイヤフラム弁と、を備えたことを特徴とするシャワーヘッドである
【００１４】
本発明によれば、複数のダイヤフラム弁によって複数の流路の各々と貯留室との連通ないし遮断が制御されるため、グリスを利用することなく、長期間に亘って安定的に流路の切り替え操作の操作力の顕著な低減を実現することができる。
【００１５】
複数のダイヤフラム弁が、２個のダイヤフラム弁である場合、各ダイヤフラム弁の背圧室と前記貯留室外の空間とを連通させるためのパイロット孔が、当該２個のダイヤフラム弁の配置の中間側の領域に集約的に設けられていて、共通のパイロット弁によって開閉されるようになっていることが好ましい。
【００１６】
このような配置によれば、シャワーヘッドの小型化が実現できる。また、パイロット弁の移動範囲（移動距離）も小さくてよいため、操作力の更なる低減が図れる。
【００１７】
略同様に、複数のダイヤフラム弁が、環状に配置された３個以上のダイヤフラム弁である場合、各ダイヤフラム弁の背圧室と前記貯留室外の空間とを連通させるためのパイロット孔が、前記３個以上のダイヤフラム弁の配置の中心側の領域に集約的に設けられていて、共通のパイロット弁によって開閉されるようになっていることが好ましい。
【００１８】
このような配置によっても、シャワーヘッドの小型化が実現できる。また、パイロット弁の移動範囲（移動距離）も小さくてよいため、操作力の更なる低減が図れる。
【００１９】
更に好ましくは、前記共通のパイロット弁は、それ自身の回転軸回りに回転可能に支持されたディスク部材として構成され、外周部に歯を有している。
【００２０】
これによれば、ディスク部材の外周部の歯を利用することによって、ディスク部材を容易に回転駆動することができる。
【００２１】
この場合、更に好ましくは、ディスク部材は、樹脂製である。
【００２２】
これによれば、高い平滑度を容易に実現できるため、摺動抵抗を抑えることができ、また、別途にシール部材を設ける必要がない。
【００２３】
また、好ましくは、前記ディスク部材は、複数の連通孔を有しており、前記複数の連通孔の各々は、前記ディスク部材の回転位置に応じて、各ダイヤフラム弁の背圧室に設けられた背圧室流出孔と選択的に連通することで当該ダイヤフラム弁のパイロット孔を解放するようになっている。
【００２４】
このような配置によれば、シャワーヘッドの更なる小型化が実現できる。また、ディスク部材（パイロット弁）の回転角度（移動距離）が小さくてよいため、操作力の更なる低減が図れる。
【００２５】
また、前記背圧室流出孔と前記ディスク部材との間には、ディスク押え部材が介在しており、前記ディスク押え部材には、各ダイヤフラム弁の背圧室流出孔と連通する流出連通路が設けられており、前記ディスク押え部材は、付勢手段によって、前記ディスク部材を前記背圧室流出孔から遠ざける方向に押し付けるようになっていることが好ましい。
【００２６】
このような配置によれば、ディスク部材に対して背圧室流出孔とは反対側の部材と当該ディスク部材との間にシール部材を設ける必要がない。
【００２７】
この場合、更に好ましくは、各流出連通路は、管状部によって構成されており、各管状部は、対応する前記背圧室流出孔内に挿入されており、各管状部と前記背圧室流出孔との間には、隙間が残存するようになっており、前記隙間は、背圧室流入孔として機能するようになっている。
【００２８】
前記隙間は、高い寸法精度で形成することが容易である。これにより、複数のダイヤフラム弁間で背圧室流入孔の特性にバラツキが生じることを効果的に抑制することができる。
【００２９】
また、本発明のシャワーヘッドは、使用者が操作力を与える操作部と、前記操作部の操作の度にそれ自身の軸線方向に往復移動する棒部と、前記棒部の先端側に取り付けられ、前記ディスク部材の歯と係合する爪を有する爪部材と、を更に備え、前記棒部の移動中に、前記爪が前記歯を引き込むことによって、前記ディスク部材が回転されるようになっていることが好ましい。
【００３０】
引き込む方向に力を作用させることによって、棒部が座屈変形することを防止することができるようになり、棒部に要求される剛性を低減することができるようになる。これにより、棒部を、剛体のみならず、塑性体や弾性体などで構成することもできるようになる。
【００３１】
この場合、更に好ましくは、前記棒部の基端は、前記操作部に接続されており、前記棒部の周囲には、コイルバネが配置されており、前記コイルバネの基端は、シャワーヘッド筐体に対して固定されており、前記コイルバネの先端は、前記爪部材に固定されており、前記棒部の先端には、前記爪部材のストッパが取り付けられており、前記爪部材は、前記コイルバネの変形によって、前記棒部に対して相対移動可能である。
【００３２】
これによれば、歯を引き込んだ後の爪部材が次の歯と係合するために元の位置に戻る際に、ディスク部材からの抵抗（干渉）を効果的に回避することができる。
【００３３】
また、例えば、複数のダイヤフラム弁は、一部品のダイヤフラム部材として一体化され得る。この場合、当該ダイヤフラム部材は、周囲にシール部を有していることが好ましい。あるいは、複数のダイヤフラム弁は、それぞれが独立の部品として形成され得る。
【００３４】
なお、各ダイヤフラム弁の開閉動作を安定化させるために、各ダイヤフラム弁は、弾性部材によって閉鎖方向に付勢されていることが好ましい。
【発明の効果】
【００３５】
本発明によれば、パイロット弁によるパイロット孔の開閉状態の切り替えによって主弁体の開閉が制御されるため、グリスを利用することなく、長期間に亘って安定的に切り替え操作の操作力の顕著な低減を実現することができる。
【００３６】
あるいは、本発明によれば、パイロット弁による複数のパイロット孔の開閉状態の切り替えによって複数の主弁体の開閉が制御されるため、グリスを利用することなく、長期間に亘って安定的に切り替え操作の操作力の顕著な低減を実現することができる。
【００３７】
あるいは、本発明によれば、複数のダイヤフラム弁によって複数の流路の各々と貯留室との連通ないし遮断が制御されるため、流路の切り替え操作の操作力の顕著な低減を実現することができる。
【図面の簡単な説明】
【００３８】
【図１】本発明の第１実施形態によるシャワーヘッドの部分断面斜視図である。
【図２】図１のシャワーヘッドの断面図である。
【図３】本発明の第１実施形態によるシャワーヘッドの分解斜視図である。
【図４】パイロット孔の開閉について説明するための概略図である。
【図５】ディスク押え部材について説明するための概略図である。
【図６】ディスク部材の回転動作開始時の状態を説明するための概略図である。
【図７】ディスク部材の回転動作中の状態を説明するための概略図である。
【図８】ディスク部材の回転動作終了時の状態を説明するための概略図である。
【図９】本発明の第２実施形態によるシャワーヘッドの平面図である。
【図１０】図９のシャワーヘッドのＸ−Ｘ線断面図である。
【図１１】本発明の第２実施形態によるシャワーヘッドの分解斜視図である。
【図１２】パイロット孔の開閉について説明するための概略図である。
【図１３】ディスク押え部材について説明するための概略図である。
【図１４】ディスク部材の回転動作開始時の状態を説明するための概略図である。
【図１５】本発明の第２実施形態の変形例について説明するための、図１３に対応する概略図である。
【図１６】本発明の第３実施形態によるシャワーヘッドの部分断面斜視図である。
【図１７】図１６のシャワーヘッドの断面図である。
【図１８】本発明の第３実施形態によるシャワーヘッドの分解斜視図である。
【図１９】本発明の第４実施形態によるシャワーヘッドの斜視図である。
【図２０】図１９のシャワーヘッドの正面図である。
【図２１】図２０のシャワーヘッドのＸＸＩ−ＸＸＩ線断面図である。
【図２２】図２１のシャワーヘッドのＸＸＩＩ−ＸＸＩＩ線断面図である。
【図２３】本発明の第４実施形態によるシャワーヘッドの分解斜視図である。
【図２４】パイロット孔の開閉について説明するための概略図である。
【図２５】第１ディスク部材の回転動作開始時の状態を説明するための概略図である。
【図２６】第１ディスク部材の回転動作中の状態を説明するための概略図である。
【図２７】第１ディスク部材の回転動作終了時の状態を説明するための概略図である。
【図２８】第２ディスク部材の回転動作開始時の状態を説明するための概略図である。
【図２９】第２ディスク部材の回転動作中の状態を説明するための概略図である。
【図３０】第２ディスク部材の回転動作終了時の状態を説明するための概略図である。
【発明を実施するための形態】
【００３９】
［第１実施形態の構成］
次に、添付図面を参照して、本発明の第１実施形態によるシャワーヘッドについて説明する。本実施形態のシャワーヘッド１は、後述するように、複数の吐水モードを切り替えることができる（複数の吐水モードでの吐水が可能な）シャワーヘッドである。
【００４０】
図１は、本発明の第１実施形態によるシャワーヘッド１の部分断面斜視図であり、図２は、本実施形態のシャワーヘッド１の断面図であり、図３は、本実施形態によるシャワーヘッド１の分解斜視図である。
【００４１】
図１乃至図３に示すように、本実施形態のシャワーヘッド１は、給水源（不図示）から給水部材２、３を介して水が供給され貯留される貯留室５（キャビティとも称される）を備えている。
【００４２】
貯留室５に対して当該シャワーヘッド１の吐水面側に、４つの略円板状の要素部材４０、４７、４８、４９の重ね合わせによって構成された二次側流路部材４が設けられている。二次側流路部材４は、３つ（複数の一例）の吐水モードに対応する３つ（複数の一例）の流路を有している。
【００４３】
二次側流路部材４のうち貯留室５に面する要素部材４０には、貯留室５側に盛り上がった３個の弁座４１〜４３が形成されており、各弁座４１〜４３の中央には対応する流路に連通する連通孔が設けられている（後述の図４も参照）。３個の弁座４１〜４３（及び対応する流路）は、環状に、周方向に１２０度ずつ均等に配置されている。
【００４４】
３個の弁座４１〜４３のそれぞれに対応するように、ダイヤフラム弁２１〜２３が環状に設けられている。３個のダイヤフラム弁２１〜２３は、一部品のダイヤフラム部材２０として一体形成されているが、それぞれのダイヤフラム弁２１〜２３は独立に動作できるようになっている。
【００４５】
また、ダイヤフラム部材２０の外周部には、シールリング部２４が形成されている。シールリング部２４は、要素部材４０の上縁部４０ａとカバー部材８とによって水密に挟持されている。一方、ダイヤフラム部材２０の中心側の領域は、スペース部材３８を介して要素部材４０の上面上に支持されている。
【００４６】
また、各ダイヤフラム弁２１〜２３は、カバー部材８の下面との間に、それぞれコイルバネ５１〜５３（弾性部材の一例）が設けられており、当該コイルバネ５１〜５３によって閉鎖方向に付勢されている。
【００４７】
また、本実施形態の３個のダイヤフラム弁２１〜２３は、環状に配置されており、各ダイヤフラム弁２１〜２３の背圧室２１ｂ〜２３ｂと貯留室５の外側の空間である要素部材４０の下方の空間とを連通させるためのパイロット孔（一部はカバー部材８の下面側に形成された背圧室流出孔２１ｃ〜２３ｃ）が、当該３個のダイヤフラム弁２１〜２３の配置の中心側の領域に集約的に設けられていて、共通のパイロット弁として機能するディスク部材１０によって開閉されるようになっている。（ダイヤフラム弁が２個の場合には、各ダイヤフラム弁の背圧室と貯留室５の外側の空間である要素部材４０の下方の空間とを連通させるためのパイロット孔が、当該２個のダイヤフラム弁の配置の中間側の領域に集約的に設けられ得る。）
【００４８】
ディスク部材１０は、樹脂製であり、それ自身の回転軸回りに回転可能に支持されており、外周部に１２個の歯１０ｔを有している（後述の図６乃至図８も参照）。
【００４９】
図４は、パイロット孔の開閉について説明するための概略図である。ディスク部材１０は、４個（複数の一例）の連通孔１０ｈを有しており、図４に概略的に示すように、当該４個の連通孔１０ｈの各々は、ディスク部材１０の回転位置に応じて、各ダイヤフラム弁２１〜２３の背圧室２１ｂ〜２３ｂに設けられた背圧室流出孔２１ｃ〜２３ｃと選択的に連通することで当該ダイヤフラム弁２１〜２３のパイロット孔を解放するようになっている。より詳細には、ダイヤフラム弁２１〜２３のパイロット孔は、背圧室流出孔２１ｃ〜２３ｃと当該背圧室流出孔２１ｃ〜２３ｃに対応するように要素部材４０に設けられた流出孔４４〜４６とが、ディスク部材１０の連通孔１０ｈによって選択的に連通される時に解放されるようになっている。４つの連通孔１０ｈは、周方向に９０度ずつ均等に配置されている。背圧室流出孔２１ｃ〜２３ｃ及び流出孔４４〜４６は、周方向に１２０度ずつ均等に配置されている。
【００５０】
図５は、ディスク押え部材３０について説明するための概略図である。図５に概略的に示すように、ディスク押え部材３０は、背圧室流出孔２１ｃ〜２３ｃとディスク部材１０との間に介在しており、付勢手段の一例であるコイルバネ３５によって、ディスク部材１０を背圧室流出孔２１ｃ〜２３から遠ざける方向に（要素部材４０に向けて）押し付けるようになっている。
【００５１】
また、ディスク押え部材３０には、各ダイヤフラム弁２１〜２３の背圧室流出孔２１ｃ〜２３ｃと連通する流出連通路３１ｃ〜３３ｃが設けられている。本実施形態では、流出連通路３１ｃ〜３３ｃは、それぞれ管状部３１〜３３によって構成され、各管状部３１〜３３は、対応する背圧室流出孔２１ｃ〜２３ｃ内に挿入されている。そして、各管状部３１〜３３と背圧室流出孔２１ｃ〜２３ｃとの間に隙間が残存しており、当該隙間が、背圧室流入孔として機能するようになっている。（もっとも、図４に示すように、ダイヤフラム弁２１〜２３の一部に背圧室流入孔２１ｄ〜２３ｄを設ける態様も、本願出願の時点では本発明の範囲から除外されない。）
【００５２】
図２に戻って、シャワーヘッド筐体７の下方部に、使用者が操作力を与える操作部としての押圧ボタン１１が設けられている。（押圧ボタン１１に替えて、他のタイプのボタンや、スライドスイッチ等が設けられてもよい。）
【００５３】
押圧ボタン１１は、使用者による押圧操作の度に（使用者が操作力としての押圧力を与える度に）、回動軸１１ｓ回りに回動するようになっている。そして、押圧ボタン１１の当該回動動作に連動して、押圧ボタン１１の当接スライド傾斜部１１ａと棒部１２の基端部に設けられた当接環１２ａとの当接（及びスライド）を利用して、棒部１２がそれ自身の軸線方向に往復移動するようになっている。
【００５４】
棒部１２は、その先端部が貯留室５内（水中）に露出されており（図６乃至図８も参照）、錆びない性質を有するステンレス等の金属製の棒材からなっている。本実施形態では、棒部１２は、シャワーヘッド筐体７に一体的に固定された要素部材４０内を摺動移動可能に貫通している。水密を維持するべく、シールリング部材１２ｓが設けられている。棒部１２は、剛性体のみならず、紐のような塑性体や、ゴムのような弾性体、によって構成されていてもよい。
【００５５】
図６は、ディスク部材１０の回転動作開始時の状態を説明するための概略図であり、図７は、ディスク部材１０の回転動作中の状態を説明するための概略図であり、図８は、ディスク部材１０の回転動作終了時の状態を説明するための概略図である。
【００５６】
図６乃至図８に示すように、貯留室５内に位置する棒部１２の先端部の周囲には、コイルバネ１４が配置されている。当該コイルバネ１４の基端は、要素部材４０に固定されており、それによってシャワーヘッド筐体７に対して（押圧ボタン１１の回動軸１１ｓに対して）固定されている。
【００５７】
コイルバネ１４の先端には、爪部材１５が固定されており、棒部１２の先端には、爪部材１５のためのストッパ１３が取り付けられており、コイルバネ１４の先端及び爪部材１５は、コイルバネ１４の軸線方向の変形によって、ストッパ１３に対して棒部１２の基端側の領域において、当該軸線方向に移動可能となっている。
【００５８】
更に、コイルバネ１４の先端及び爪部材１５は、コイルバネ１４の軸線方向に対して傾斜した方向への変形によって、当該傾斜した方向へも移動可能（姿勢変更可能）となっている。
【００５９】
爪部材１５のディスク部材１０側の側面には、ディスク部材１０の歯１０ｔと係合する爪１５ｔが設けられている。そして、棒部１２の移動中に、爪１５ｔが歯１０ｔを引き込むことによって、ディスク部材１０が回転されるようになっている（図６→図７→図８）。
【００６０】
その他、ディスク部材１０（歯１０ｔ）が逆方向に回転するのを防止する止め爪１６が、要素部材４０上に設けられた止め爪固定部１７によって保持されている。
【００６１】
［第１実施形態の作用］
次に、本実施形態によるシャワーヘッド１の作用について説明する。
【００６２】
図２を参照して、押圧ボタン１１が使用者によって押圧操作されると、その押圧力（操作力）によって、押圧ボタン１１の当接スライド傾斜部１１ａが回動軸１１ｓ回りに回動し、当接環１２ａを介して棒部１２を軸線方向に基端側（図２の右側）へと移動させる。
【００６３】
図６の状態は、押圧操作前の状態に対応している。この状態から棒部１２の移動が始まると、図７に示すように、爪部材１５の爪１５ｔがディスク部材１０の歯１０ｔを引き込むようにして、ディスク部材１０が回転される。図８は、押圧ボタン１１が最奥部にあって棒部１２が最も基端側（図２の右側）に移動された状態に対応している。図８の状態では、止め爪１６が、図６の状態よりも１つ先の歯１０ｔを止めている。以上の通り、押圧ボタン１１の１回の押圧操作で、ディスク部材１０は３０度回転する。
【００６４】
図８の状態では、コイルバネ１４が、棒部１２の先端のストッパ１３及び爪部材１５と要素部材４０との間で圧縮された状態となっている。この状態で、押圧ボタン１１に対する押圧力が解除されると、コイルバネ１４の復元力によって、棒部１２及び押圧ボタン１１が元の位置（図６の状態）に戻される。この過程では、爪１５ｔは歯１０ｔと係合していないし、止め爪１６の存在とも相俟って、ディスク部材１０は逆回転しない。また、この過程において、爪部材１５は、コイルバネ１４の軸線方向に対して傾斜した方向への変形によって当該傾斜した方向へも移動可能（姿勢変更可能）であるため、ディスク部材１０からの抵抗（干渉）を効果的に回避することができる。そして、爪部材１５は、元の位置（図６の状態）に戻ると、コイルバネ１４の復元力によって、前回引き込んだ歯の次の歯１０ｔと係合する。
【００６５】
前述のように、４つの連通孔１０ｈは、周方向に９０度ずつ均等に配置されており、背圧室流出孔２１ｃ〜２３ｃ及び流出孔４４〜４６は、周方向に１２０度ずつ均等に配置されている。従って、ディスク部材１０が３０度ずつ回転することによって、背圧室流出孔２１ｃと流出孔４４とが連通して背圧室流出孔２２ｃ、２３ｃと流出孔４５、４６とは連通しない第１吐水モードと、背圧室流出孔２２ｃと流出孔４５とが連通して背圧室流出孔２１ｃ、２３ｃと流出孔４４、４６とは連通しない第２吐水モードと、背圧室流出孔２３ｃと流出孔４６とが連通して背圧室流出孔２１ｃ、２２ｃと流出孔４４、４５とは連通しない第３吐水モードと、を順次に切り替えることができる。
【００６６】
背圧室流出孔と流出孔とが連通せず、すなわち、対応するダイヤフラム弁のパイロット孔が解放されていない状態の一例が、図４及び図５の右側の状態である。図４及び図５の右側の状態は、背圧室流出孔２２ｃ、２３ｃと流出孔４５、４６とが、ディスク部材１０によって遮断されている。一方、背圧室流入孔２２ｄ、２３ｄを介して（図４の場合）、あるいは、管状部３２、３３と背圧室流出孔２２ｃ、２３ｃとの間の隙間が背圧室流入孔として機能して（図５の場合）、貯留室５内の水圧と背圧室２３ｂ、２３ｃ内の水圧は等しくなっている。従って、コイルバネ５２、５３（図４及び図５では図示を省略されている）の付勢力によって、ダイヤフラム弁２２、２３は閉鎖状態にある。
【００６７】
一方、背圧室流出孔と流出孔とが連通して、すなわち、対応するダイヤフラム弁のパイロット孔が解放された状態の一例が、図４及び図５の左側の状態である。図４及び図５の左側の状態は、背圧室流出孔２１ｃと流出孔４４とが、ディスク部材１０の連通孔１０ｈによって連通（解放）されている。この状態では、背圧室２１ｂから背圧室流出孔２１ｃ及び流出孔４４を介して水が流出することによって、貯留室５内の水圧が背圧室２１ｂ内の水圧よりも大きくなり、コイルバネ５１（図４及び図５では図示を省略されている）の付勢力にも拘わらず、ダイヤフラム弁２１が開放状態となる。
【００６８】
［第１実施形態の効果］
以上のように、本実施形態のシャワーヘッド１によれば、３個のダイヤフラム弁２１〜２３によって３個の流路の各々と貯留室５との連通ないし遮断が制御されるため、流路の切り替え操作の操作力の顕著な低減を実現することができる。
【００６９】
特に、本実施形態のシャワーヘッド１によれば、環状に配置された３個のダイヤフラム２１〜２３の背圧室２１ｂ〜２３ｂと貯留室５外の空間とを連通させるためのパイロット孔が、ダイヤフラム弁２１〜２３の配置の中心側の領域に集約的に設けられていて、共通のディスク部材１０（パイロット弁）によって開閉されるため、シャワーヘッド１の小型化が実現でき、また、ディスク部材１０（パイロット弁）の移動範囲（移動距離）も小さくてよいため、操作力の更なる低減が図れる。
【００７０】
また、本実施形態のシャワーヘッド１によれば、ディスク部材１０が、それ自身の回転軸回りに回転可能に支持されると共に外周部に歯１０ｔを有している。このため、当該歯１０ｔを利用することによって、ディスク部材１０を容易に回転駆動することができる。
【００７１】
また、本実施形態のシャワーヘッド１によれば、ディスク部材１０が樹脂製であるため、高い平滑度を容易に実現できる。このため、摺動抵抗を抑えることができ、また、別途にシール部材を設ける必要がない。
【００７２】
また、本実施形態のシャワーヘッド１によれば、ディスク部材１０は、４個の連通孔１０ｈを有しており、当該連通孔１０ｈの各々は、ディスク部材１０の回転位置に応じて、３個のダイヤフラム弁２１〜２３の背圧室２１ｂ〜２３ｂに設けられた背圧室流出孔２１ｃ〜２３ｃと選択的に連通することで当該ダイヤフラム弁２１〜２３のパイロット孔を解放するようになっている。これにより、シャワーヘッド１の更なる小型化が実現でき、また、ディスク部材１０の回転角度（移動距離）が３０度と小さいため、操作力の更なる低減が図れる。
【００７３】
また、本実施形態のシャワーヘッド１によれば、背圧室流出孔２１ｃ〜２３ｃとディスク部材１０との間にディスク押え部材３０が介在しており、当該ディスク押え部材３０には、各ダイヤフラム弁２１〜２３の背圧室流出孔２１ｃ〜２３ｃと連通する流出連通路３１ｃ〜３３ｃが設けられており、また、当該ディスク押え部材３０は、コイルバネ３５によって、ディスク部材１０を背圧室流出孔２１ｃ〜２３ｃから遠ざける方向に押し付けるようになっている。これにより、ディスク部材１０に対して背圧室流出孔２１ｃ〜２３ｃとは反対側の部材（要素部材４０）と当該ディスク部材１０との間にシール部材を設ける必要がない。
【００７４】
特に、本実施形態のシャワーヘッド１によれば、流出連通路３１ｃ〜３３ｃがそれぞれ管状部３１〜３３によって構成され、各管状部３１〜３３は、対応する背圧室流出孔２１ｃ〜２３ｃ内に挿入されており、各管状部３１〜３３と背圧室流出孔２１ｃ〜２３ｃとの間の隙間が背圧室流入孔として機能するようになっている。当該隙間は、高い寸法精度で形成することが容易であるため、複数のダイヤフラム弁２１〜２３間で背圧室流入孔（隙間）の特性にバラツキが生じることを効果的に抑制することができる。
【００７５】
また、本実施形態のシャワーヘッド１によれば、使用者が操作力を与える押圧ボタン１１と、当該押圧ボタン１１の押圧操作の度にそれ自身の軸線方向に往復移動する棒部１２と、棒部１２の先端側に取り付けられてディスク部材１０の歯１０ｔと係合する爪１５ｔを有する爪部材１５と、を備えた駆動機構によって、棒部１２の移動中に爪１５ｔが歯１０ｔを引き込むことによってディスク部材１０が回転されるようになっている。このように、引き込む方向に力を作用させることによって、棒部１２が座屈変形することを効果的に防止することができ、棒部１２に求められる剛性を低減できる。これにより、剛体のみならず、ひも状の塑性体や、ゴムなどの弾性体、によって棒部１２を構成することができるようになる。
【００７６】
特に、本実施形態のシャワーヘッド１によれば、棒部１２の基端が押圧ボタン１１に接続されており、棒部１２の先端部の周囲にコイルバネ１４が配置されており、コイルバネ１４の基端は要素部材４０に固定され、コイルバネ１４の先端は爪部材１５に固定されており、棒部１２の先端には爪部材１５のためのストッパ１３が取り付けられている。これにより、爪部材１５は、コイルバネ１４の変形によって、棒部１２に対して相対移動可能（軸線方向及び軸線方向に対して傾斜した方向）となっている。このため、歯１０ｔを引き込んだ後の爪部材１５が次の歯１０ｔと係合するために元の位置（図６の位置）に戻る際に、ディスク部材１０からの抵抗（干渉）を効果的に回避することができる。
【００７７】
また、本実施形態のシャワーヘッド１によれば、３個のダイヤフラム弁２１〜２３は、一部品のダイヤフラム部材２０として一体化されており、周囲にシールリング部２４が設けられている。これにより、別途にシールリング部材を設ける必要がない（後述の第２実施形態参照）。
【００７８】
また、本実施形態のシャワーヘッド１によれば、各ダイヤフラム弁２１〜２３はコイルバネ５１〜５３によってそれぞれ閉鎖方向に付勢されている。これにより、各ダイヤフラム弁２１〜２３の開閉動作が安定化されている。
【００７９】
［第２実施形態の構成］
次に、添付図面を参照して、本発明の第２実施形態によるシャワーヘッドについて説明する。本実施形態のシャワーヘッド１０１も、複数の吐水モードを切り替えることができる（複数の吐水モードでの吐水が可能な）シャワーヘッドである。
【００８０】
図９は、本発明の第２実施形態によるシャワーヘッド１０１の平面図であり、図１０は、図９のシャワーヘッド１０１のＸ−Ｘ線断面図であり、図１１は、本実施形態によるシャワーヘッド１０１の分解斜視図である。
【００８１】
図９乃至図１１に示すように、本実施形態のシャワーヘッド１０１も、給水源（不図示）から給水部材１０２、１０３を介して水が供給され貯留される貯留室１０５（キャビティとも称される）を備えている。
【００８２】
貯留室１０５に対して当該シャワーヘッド１０１の吐水面側に、４つの略円板状の要素部材１４０、１４７、１４８、１４９の重ね合わせによって構成された二次側流路部材１０４が設けられている。二次側流路部材１０４は、更に、中央吐水口部材１６１〜１６３と、シール部材１６５と、を有しており、３つ（複数の一例）の吐水モードに対応する３つ（複数の一例）の流路を有している。
【００８３】
二次側流路部材１０４のうち貯留室１０５に面する要素部材１４０には、貯留室１０５側に盛り上がった３個の弁座１４１〜１４３が形成されており、各弁座１４１〜１４３の中央には対応する流路に連通する連通孔が設けられている。３個の弁座１４１〜１４３（及び対応する流路）は、環状に、周方向に１２０度ずつ均等に配置されている。
【００８４】
３個の弁座１４１〜１４３のそれぞれに対応するように、ダイヤフラム弁１２１〜１２３が環状に設けられている。３個のダイヤフラム弁１２１〜１２３は、第１実施形態とは異なり、別個独立の部材として形成されて配置されている。
【００８５】
また、３個のダイヤフラム弁１２１〜１２３を取り囲むように、シールリング部材１２４が配置されている。シールリング部材１２４は、要素部材１４０の上縁部１４０ａとカバー部材１０８とによって水密に挟持されている。本実施形態のカバー部材１０８は、カバー本体１０８ａと、２枚の上方ディスク１０８ｂ、１０８ｃと、からなっている。一方、各ダイヤフラム弁１２１〜１２３は、スペース部材１７１〜１７３を介して要素部材１４０の上面上に支持されている。
【００８６】
また、各ダイヤフラム弁１２１〜１２３は、カバー部材１０８の下面との間に、それぞれコイルバネ１５１〜１５３（弾性部材の一例）が設けられており、当該コイルバネ１５１〜１５３によって閉鎖方向に付勢されている。
【００８７】
また、本実施形態の３個のダイヤフラム弁１２１〜１２３も、環状に配置されており、各ダイヤフラム弁１２１〜１２３の背圧室１２１ｂ〜１２３ｂと貯留室１０５の外側の空間である要素部材１４０の下方の空間とを連通させるためのパイロット孔（一部はカバー部材１０８の下面側に形成された背圧室流出孔１２１ｃ〜１２３ｃ）が、当該３個のダイヤフラム弁１２１〜１２３の配置の中心側の領域に集約的に設けられていて、共通のパイロット弁として機能するディスク部材１１０によって開閉されるようになっている。（ダイヤフラム弁が２個の場合には、各ダイヤフラム弁の背圧室と貯留室１０５の外側の空間である要素部材１４０の下方の空間とを連通させるためのパイロット孔が、当該２個のダイヤフラム弁の配置の中間側の領域に集約的に設けられ得る。）
【００８８】
本実施形態のディスク部材１１０も、樹脂製であり、それ自身の回転軸回りに回転可能に支持されており、外周部に１２個の歯１１０ｔを有している。
【００８９】
図１２は、図４と同様、パイロット孔の開閉について説明するための概略図であり、図４における参照符号に１００を足したものに相当している。本実施形態のディスク部材１１０も、４個（複数の一例）の連通孔１１０ｈを有しており、当該４個の連通孔１１０ｈの各々は、ディスク部材１１０の回転位置に応じて、各ダイヤフラム弁１２１〜１２３の背圧室１２１ｂ〜１２３ｂに設けられた背圧室流出孔１２１ｃ〜１２３ｃと選択的に連通することで当該ダイヤフラム弁１２１〜１２３のパイロット孔を解放するようになっている。より詳細には、ダイヤフラム弁１２１〜１２３のパイロット孔は、背圧室流出孔１２１ｃ〜１２３ｃと当該背圧室流出孔１２１ｃ〜１２３ｃに対応するように要素部材１４０に設けられた流出孔１４４〜１４６とが、ディスク部材１１０の連通孔１１０ｈによって選択的に連通される時に解放されるようになっている。４つの連通孔１１０ｈも、周方向に９０度ずつ均等に配置されており、背圧室流出孔１２１ｃ〜１２３ｃ及び流出孔１４４〜１４６も、周方向に１２０度ずつ均等に配置されている。
【００９０】
図１３は、図５と同様、ディスク押え部材３０について説明するための概略図であり、図５における参照符号に１００を足したものに相当している。ディスク押え部材１３０が、背圧室流出孔１２１ｃ〜１２３ｃとディスク部材１１０との間に介在しており、付勢手段の一例であるコイルバネ１３５によって、ディスク部材１１０を背圧室流出孔１２１ｃ〜１２３から遠ざける方向に（要素部材１４０に向けて）押し付けるようになっている。
【００９１】
また、ディスク押え部材１３０には、各ダイヤフラム弁１２１〜１２３の背圧室流出孔１２１ｃ〜１２３ｃと連通する流出連通路１３１ｃ〜１３３ｃが設けられており、本実施形態でも、流出連通路１３１ｃ〜１３３ｃは、それぞれ管状部１３１〜１３３によって構成され、各管状部１３１〜１３３は、対応する背圧室流出孔１２１ｃ〜１２３ｃ内に挿入されている。そして、各管状部１３１〜１３３と背圧室流出孔１２１ｃ〜１２３ｃとの間に隙間が残存しており、当該隙間が、背圧室流入孔として機能するようになっている。（図１２に示すように、ダイヤフラム弁１２１〜１２３の一部に背圧室流入孔１２１ｄ〜１２３ｄを設ける態様も、本願出願の時点では本発明の範囲から除外されない。）
【００９２】
図１１に戻って、シャワーヘッド筐体１０７の下方部に、使用者が操作力を与える操作部としての押圧ボタン１１１が設けられている。（押圧ボタン１１１に替えて、他のタイプのボタンや、スライドスイッチ等が設けられてもよい。）
【００９３】
押圧ボタン１１１は、使用者による押圧操作の度に（使用者が操作力としての押圧力を与える度に）、回動軸１１１ｓ回りに回動するようになっている。そして、押圧ボタン１１１の当該回動動作に連動して、押圧ボタン１１１の当接スライド傾斜部１１１ａと棒部１１２の基端部に設けられた当接環１１２ａとの当接（及びスライド）を利用して、棒部１１２がそれ自身の軸線方向に往復移動するようになっている。
【００９４】
棒部１１２は、その先端部が貯留室１０５内（水中）に露出されており（図１４も参照）、錆びない性質を有するステンレス等の金属製の棒材からなっている。本実施形態では、棒部１１２は、シャワーヘッド筐体１０７に一体的に固定された要素部材１４０内を摺動移動可能に貫通している。水密を維持するべく、シールリング部材１１２ｓが設けられている。
【００９５】
図１４は、図６と同様、ディスク部材１１０の回転動作開始時の状態を説明するための概略図である。図１４に示すように、貯留室１０５内に位置する棒部１１２の先端部の周囲には、コイルバネ１１４が配置されている。当該コイルバネ１１４の基端は、要素部材１４０に固定されており、それによってシャワーヘッド筐体１０７に対して（押圧ボタン１１１の回動軸１１１ｓに対して）固定されている。
【００９６】
コイルバネ１１４の先端には、爪部材１１５が固定されており、棒部１１２の先端には、爪部材１１５のためのストッパ１１３が取り付けられており、コイルバネ１１４の先端及び爪部材１１５は、コイルバネ１１４の軸線方向の変形によって、ストッパ１１３に対して棒部１１２の基端側の領域において、当該軸線方向に移動可能となっている。
【００９７】
更に、コイルバネ１１４の先端及び爪部材１１５は、コイルバネ１１４の軸線方向に対して傾斜した方向への変形によって、当該傾斜した方向へも移動可能（姿勢変更可能）となっている。
【００９８】
爪部材１１５のディスク部材１１０側の側面には、ディスク部材１１０の歯１１０ｔと係合する爪１１５ｔが設けられている。そして、棒部１１２の移動中に、爪１１５ｔが歯１１０ｔを引き込むことによって、ディスク部材１１０が回転されるようになっている。
【００９９】
その他、ディスク部材１１０（歯１１０ｔ）が逆方向に回転するのを防止する止め爪１１６が、要素部材１４０上に設けられた止め爪固定部１１７によって保持されている。
［第２実施形態の作用］
次に、本実施形態によるシャワーヘッド１０１の作用について説明する。
【０１００】
図１３を参照して、押圧ボタン１１１が使用者によって押圧操作されると、その押圧力（操作力）によって、押圧ボタン１１１の当接スライド傾斜部１１１ａが回動軸１１１ｓ回りに回動し、当接環１１２ａを介して棒部１１２を軸線方向に基端側（図１３の右側）へと移動させる。
【０１０１】
図１４の状態は、押圧操作前の状態に対応している。この状態から棒部１１２の移動が始まると、爪部材１１５の爪１１５ｔがディスク部材１１０の歯１１０ｔを引き込むようにして、ディスク部材１１０が回転される（図７も参照）。押圧ボタン１１１が最奥部にあって棒部１１２が最も基端側（図１３の右側）に移動された状態で、止め爪１１６は、図１４の状態よりも１つ先の歯１１０ｔを止める（図８も参照）。これにより、押圧ボタン１１１の１回の押圧操作で、ディスク部材１１０は３０度回転する。
【０１０２】
この状態では、コイルバネ１１４が、棒部１１２の先端のストッパ１１３及び爪部材１１５と要素部材１４０との間で圧縮された状態となっている。この状態で、押圧ボタン１１１に対する押圧力が解除されると、コイルバネ１１４の復元力によって、棒部１１２及び押圧ボタン１１１が元の位置（図１４の状態）に戻される。この過程では、爪１１５ｔは歯１１０ｔと係合していないし、止め爪１１６の存在とも相俟って、ディスク部材１１０は逆回転しない。また、この過程において、爪部材１１５は、コイルバネ１１４の軸線方向に対して傾斜した方向への変形によって当該傾斜した方向へも移動可能（姿勢変更可能）であるため、ディスク部材１１０からの抵抗（干渉）を効果的に回避することができる。そして、爪部材１１５は、元の位置（図１４の状態）に戻ると、コイルバネ１１４の復元力によって、前回引き込んだ歯の次の歯１１０ｔと係合する。
【０１０３】
前述のように、４つの連通孔１１０ｈは、周方向に９０度ずつ均等に配置されており、背圧室流出孔１２１ｃ〜１２３ｃ及び流出孔１４４〜１４６は、周方向に１２０度ずつ均等に配置されている。従って、ディスク部材１１０が３０度ずつ回転することによって、背圧室流出孔１２１ｃと流出孔１４４とが連通して背圧室流出孔１２２ｃ、１２３ｃと流出孔１４５、１４６とは連通しない第１吐水モードと、背圧室流出孔１２２ｃと流出孔１４５とが連通して背圧室流出孔１２１ｃ、１２３ｃと流出孔１４４、１４６とは連通しない第２吐水モードと、背圧室流出孔１２３ｃと流出孔１４６とが連通して背圧室流出孔１２１ｃ、１２２ｃと流出孔１４４、１４５とは連通しない第３吐水モードと、を順次に切り替えることができる。
【０１０４】
背圧室流出孔と流出孔とが連通せず、すなわち、対応するダイヤフラム弁のパイロット孔が解放されていない状態の一例が、図１２及び図１３の右側の状態である。図１２及び図１３の右側の状態は、背圧室流出孔１２２ｃ、１２３ｃと流出孔１４５、１４６とが、ディスク部材１１０によって遮断されている。一方、背圧室流入孔１２２ｄ、１２３ｄを介して（図１２の場合）、あるいは、管状部１３２、１３３と背圧室流出孔１２２ｃ、１２３ｃとの間の隙間が背圧室流入孔として機能して（図１３の場合）、貯留室１０５内の水圧と背圧室１２３ｂ、１２３ｃ内の水圧は等しくなっている。従って、コイルバネ１５２、１５３（図１２及び図１３では図示を省略されている）の付勢力によって、ダイヤフラム弁１２２、１２３は閉鎖状態にある。
【０１０５】
一方、背圧室流出孔と流出孔とが連通して、すなわち、対応するダイヤフラム弁のパイロット孔が解放された状態の一例が、図１２及び図１３の左側の状態である。図１２及び図１３の左側の状態は、背圧室流出孔１２１ｃと流出孔１４４とが、ディスク部材１１０の連通孔１１０ｈによって連通（解放）されている。この状態では、背圧室１２１ｂから背圧室流出孔１２１ｃ及び流出孔１４４を介して水が流出することによって、貯留室１０５内の水圧が背圧室１２１ｂ内の水圧よりも大きくなり、コイルバネ１５１（図１２及び図１３では図示を省略されている）の付勢力にも拘わらず、ダイヤフラム弁１２１が開放状態となる。
【０１０６】
［第２実施形態の効果］
以上のように、本実施形態のシャワーヘッド１０１によれば、３個のダイヤフラム弁１２１〜１２３によって３個の流路の各々と貯留室１０５との連通ないし遮断が制御されるため、流路の切り替え操作の操作力の顕著な低減を実現することができる。
【０１０７】
特に、本実施形態のシャワーヘッド１０１によれば、環状に配置された３個のダイヤフラム１２１〜１２３の背圧室１２１ｂ〜１２３ｂと貯留室１０５外の空間とを連通させるためのパイロット孔が、ダイヤフラム弁１２１〜１２３の配置の中心側の領域に集約的に設けられていて、共通のディスク部材１１０（パイロット弁）によって開閉されるため、シャワーヘッド１０１の小型化が実現でき、また、ディスク部材１１０（パイロット弁）の移動範囲（移動距離）も小さくてよいため、操作力の更なる低減が図れる。
【０１０８】
また、本実施形態のシャワーヘッド１０１によれば、ディスク部材１１０が、それ自身の回転軸回りに回転可能に支持されると共に外周部に歯１１０ｔを有している。このため、当該歯１１０ｔを利用することによって、ディスク部材１１０を容易に回転駆動することができる。
【０１０９】
また、本実施形態のシャワーヘッド１０１によれば、ディスク部材１１０が樹脂製であるため、高い平滑度を容易に実現できる。このため、摺動抵抗を抑えることができ、また、別途にシール部材を設ける必要がない。
【０１１０】
また、本実施形態のシャワーヘッド１０１によれば、ディスク部材１１０は、４個の連通孔１１０ｈを有しており、当該連通孔１１０ｈの各々は、ディスク部材１１０の回転位置に応じて、３個のダイヤフラム弁１２１〜１２３の背圧室１２１ｂ〜１２３ｂに設けられた背圧室流出孔１２１ｃ〜１２３ｃと選択的に連通することで当該ダイヤフラム弁１２１〜１２３のパイロット孔を解放するようになっている。これにより、シャワーヘッド１０１の更なる小型化が実現でき、また、ディスク部材１１０の回転角度（移動距離）が３０度と小さいため、操作力の更なる低減が図れる。
【０１１１】
また、本実施形態のシャワーヘッド１０１によれば、背圧室流出孔１２１ｃ〜１２３ｃとディスク部材１１０との間にディスク押え部材１３０が介在しており、当該ディスク押え部材１３０には、各ダイヤフラム弁１２１〜１２３の背圧室流出孔１２１ｃ〜１２３ｃと連通する流出連通路１３１ｃ〜１３３ｃが設けられており、また、当該ディスク押え部材１３０は、コイルバネ１３５によって、ディスク部材１１０を背圧室流出孔１２１ｃ〜１２３ｃから遠ざける方向に押し付けるようになっている。これにより、ディスク部材１１０に対して背圧室流出孔１２１ｃ〜１２３ｃとは反対側の部材（要素部材１４０）と当該ディスク部材１１０との間にシール部材を設ける必要がない。
【０１１２】
特に、本実施形態のシャワーヘッド１０１によれば、流出連通路１３１ｃ〜１３３ｃがそれぞれ管状部１３１〜１３３によって構成され、各管状部１３１〜１３３は、対応する背圧室流出孔１２１ｃ〜１２３ｃ内に挿入されており、各管状部１３１〜１３３と背圧室流出孔１２１ｃ〜１２３ｃとの間の隙間が背圧室流入孔として機能するようになっている。当該隙間は、高い寸法精度で形成することが容易であるため、複数のダイヤフラム弁１２１〜１２３間で背圧室流入孔（隙間）の特性にバラツキが生じることを効果的に抑制することができる。
【０１１３】
また、本実施形態のシャワーヘッド１０１によれば、使用者が操作力を与える押圧ボタン１１１と、当該押圧ボタン１１１の押圧操作の度にそれ自身の軸線方向に往復移動する棒部１１２と、棒部１１２の先端側に取り付けられてディスク部材１１０の歯１１０ｔと係合する爪１１５ｔを有する爪部材１１５と、を備えた駆動機構によって、棒部１１２の移動中に爪１１５ｔが歯１１０ｔを引き込むことによってディスク部材１１０が回転されるようになっている。このように、引き込む方向に力を作用させることによって、棒部１１２が座屈変形することを効果的に防止することができ、要求される剛性を低減することができる。これにより、棒部１２は必ずしも剛体である必要が無くなり、ひも状の塑性体やゴムのような弾性体によって構成することができる。
【０１１４】
特に、本実施形態のシャワーヘッド１０１によれば、棒部１１２の基端が押圧ボタン１１１に接続されており、棒部１１２の先端部の周囲にコイルバネ１１４が配置されており、コイルバネ１１４の基端は要素部材１４０に固定され、コイルバネ１１４の先端は爪部材１１５に固定されており、棒部１１２の先端には爪部材１１５のためのストッパ１１３が取り付けられている。これにより、爪部材１１５は、コイルバネ１１４の変形によって、棒部１１２に対して相対移動可能（軸線方向及び軸線方向に対して傾斜した方向）となっている。このため、歯１１０ｔを引き込んだ後の爪部材１１５が次の歯１１０ｔと係合するために元の位置（図１４の位置）に戻る際に、ディスク部材１１０からの抵抗（干渉）を効果的に回避することができる。
【０１１５】
また、本実施形態のシャワーヘッド１０１によれば、３個のダイヤフラム弁１２１〜１２３は、それぞれ別個の部品である。これにより、各ダイヤフラム弁１２１〜１２３を個別に交換等することができる。
【０１１６】
また、本実施形態のシャワーヘッド１０１によれば、各ダイヤフラム弁１２１〜１２３はコイルバネ１５１〜１５３によってそれぞれ閉鎖方向に付勢されている。これにより、各ダイヤフラム弁１２１〜１２３の開閉動作が安定化されている。
【０１１７】
［流路パターンについての補足］
なお、以上の各実施形態のシャワーヘッド１、１０１では、３個のダイヤフラム弁２１〜２３、１２１〜１２３の各々の開閉が、二次側流路部材４、１０４の３個の流路の各々の連通／遮断に１：１に対応しており、ディスク部材１０、１１０の回転位置に応じて、いずれか１個のダイヤフラム弁のみが開放され、すなわち、いずれか１個の流路のみが連通されるようになっているが、本発明はそのような態様に限定されない。
【０１１８】
例えば、ディスク部材１０、１１０の連通孔１０ｈ、１１０ｈの配置パターンを変更する等して、ディスク部材１０、１１０の回転位置に応じて、同時に複数のダイヤフラム弁が開放され、すなわち、同時に複数の流路が連通されて複合的に吐水がなされてもよい。
【０１１９】
あるいは、二次側流路部材４、１０４の流路のパターンを変更する等して、ある１個のダイヤフラム弁が開放される時に、同時に複数の流路が連通されて複合的に吐水がなされてもよい。
【０１２０】
さらには、ディスク部材１０、１１０の連通孔１０ｈ、１１０ｈの配置パターンを変更する等して、ディスク部材１０、１１０の回転位置に応じて、同時に全てのダイヤフラム弁が閉止され、すなわち、同時に複数の流路が閉止されて止水がなされてもよい。このように構成することで押圧ボタン１１を操作することで一時止水を行うことができるようになる。
【０１２１】
［第２実施形態の変形例］
第２実施形態のシャワーヘッド１０１は、３個の別個のダイヤフラム弁１２１〜１２３（主弁体の一例）を用いて複数の吐水モードを切り替えることができる（複数の吐水モードでの吐水が可能な）シャワーヘッドである。
【０１２２】
本実施形態において、ダイヤフラム弁１２１〜１２３の各々は、例えばピストン弁（主弁体の他の例）によって置換することが可能である。
【０１２３】
図１５は、ダイヤフラム弁１２１〜１２３をピストン弁２２１〜２２３に置換した構成例を示す、図１３に対応する概略図である。
【０１２４】
図１５に示す変形例では、ピストン弁２２１〜２２３が、水密リング２６１〜２６３を介して、カバー本体部１０８ａ内に設けられた対応する摺動案内筒部２７１〜２７３内を摺動移動可能に設けられている。
【０１２５】
各ピストン弁２２１〜２２３は、カバー本体部１０８ａの下面との間に、それぞれコイルバネ２５１〜２５３（弾性部材の一例）が設けられており、当該コイルバネ２５１〜２５３によって閉鎖方向に付勢されている。
【０１２６】
このような変形例においても、第２実施形態のシャワーヘッド１０１と同様の作用効果を得ることができる。
【０１２７】
具体的には、対応するピストン弁２２２、２２３のパイロット孔が解放されていない状態（図１６の右側の状態）、すなわち、背圧室流出孔２２２ｃ、２２３ｃと流出孔４５、４６とがディスク部材１０によって遮断されている状態では、管状部３２、３３と背圧室流出孔２２２ｃ、２２３ｃとの間の隙間が背圧室流入孔として機能して、貯留室５内の水圧と背圧室２２３ｂ、２２３ｃ内の水圧は等しくなっている。従って、コイルバネ２５２、２５３の付勢力によって、ピストン弁２２２、２２３は閉鎖状態にある。
【０１２８】
一方、対応するピストン弁２２１のパイロット孔が解放された状態（図１６の左側の状態）、すなわち、背圧室流出孔２２１ｃと流出孔４４とがディスク部材１０の連通孔１０ｈによって連通（解放）されている状態では、背圧室２２１ｂから背圧室流出孔２２１ｃ及び流出孔４４を介して水が流出することによって、貯留室５内の水圧が背圧室２２１ｂ内の水圧よりも大きくなり、コイルバネ２５１の付勢力にも拘わらず、ピストン弁２２１が開放状態となる。
【０１２９】
［第３実施形態の構成］
前述のように、第１実施形態のシャワーヘッド１は、複数の吐水モードを切り替えることができる（複数の吐水モードでの吐水が可能な）シャワーヘッドである。この実施形態は、吐水モードを１種類に限定して使用する場合、吐水と止水とを切り替えることのみができるシャワーヘッドとなる。すなわち、第１実施形態のシャワーヘッド１の開示は、吐水と止水とを切り替えるシャワーヘッドの開示を兼ねるものである（特に、段落０１２０参照）。
【０１３０】
しかしながら、理解の一層の容易のため、本発明を吐水と止水とを切り替えるシャワーヘッド（吐水モードは１種類）に適用した構成例について、第３実施形態として以下に説明する。
【０１３１】
図１６は、本発明の第３実施形態によるシャワーヘッド３０１の部分断面斜視図であり、図１７は、本実施形態のシャワーヘッド３０１の断面図であり、図１８は、本実施形態によるシャワーヘッド３０１の分解斜視図である。
【０１３２】
図１６乃至図１８に示すように、本実施形態のシャワーヘッド３０１は、第１実施形態のシャワーヘッド１と同様に、給水源（不図示）から給水部材２、３を介して水が供給され貯留される貯留室５（キャビティとも称される）を備えている。
【０１３３】
貯留室５に対して当該シャワーヘッド３０１の吐水面側に、概ね円板状の要素部材（単数でも複数でもよい）によって構成された二次側流路部材３０４が設けられている。二次側流路部材３０４は、唯一の吐水モードに対応する唯一の流路を有している。
【０１３４】
二次側流路部材３０４のうち貯留室５に面する部分には、貯留室５側に盛り上がった３個の弁座３４１〜３４３が形成されており、各弁座３４１〜３４３の中央には対応する流路に連通する連通孔が設けられている（図４も参照）。３個の弁座３４１〜３４３（及び対応する流路）は、環状に、周方向に１２０度ずつ均等に配置されている。
【０１３５】
３個の弁座３４１〜３４３のそれぞれに対応するように、第１実施形態のシャワーヘッド１と同様に、ダイヤフラム弁２１〜２３が環状に設けられている。３個のダイヤフラム弁２１〜２３は、一部品のダイヤフラム部材２０として一体形成されているが、それぞれのダイヤフラム弁２１〜２３は独立に動作できるようになっている。
【０１３６】
また、ダイヤフラム部材２０の外周部には、シールリング部２４が形成されている。シールリング部２４は、二次側流路部材３０４の上縁部とカバー部材８とによって水密に挟持されている。一方、ダイヤフラム部材２０の中心側の領域は、スペース部材３８を介して二次側流路部材３０４の上面上に支持されている。
【０１３７】
また、第１実施形態のシャワーヘッド１と同様に、各ダイヤフラム弁２１〜２３は、カバー部材８の下面との間に、それぞれコイルバネ５１〜５３（弾性部材の一例）が設けられており、当該コイルバネ５１〜５３によって閉鎖方向に付勢されている。
【０１３８】
また、本実施形態の３個のダイヤフラム弁２１〜２３も、環状に配置されており、各ダイヤフラム弁２１〜２３の背圧室２１ｂ〜２３ｂと貯留室５の外側の空間である二次側流路部材３０４内の空間とを連通させるためのパイロット孔（一部はカバー部材８の下面側に形成された背圧室流出孔２１ｃ〜２３ｃ）が、当該３個のダイヤフラム弁２１〜２３の配置の中心側の領域に集約的に設けられていて、共通のパイロット弁として機能するディスク部材３１０によって開閉されるようになっている。（ダイヤフラム弁が２個の場合には、各ダイヤフラム弁の背圧室と貯留室５の外側の空間である二次側流路部材0内の空間とを連通させるためのパイロット孔が、当該２個のダイヤフラム弁の配置の中間側の領域に集約的に設けられ得る。）
【０１３９】
第１実施形態のシャワーヘッド１と同様に、ディスク部材３１０は、樹脂製であり、それ自身の回転軸回りに回転可能に支持されており、外周部に１２個の歯３１０ｔを有している（図６乃至図８も参照）。
【０１４０】
パイロット孔の開閉については、第１実施形態のシャワーヘッド１と概ね同様であるが、念のため図４を参照しながら説明する（図４における弁座４１〜４３が本実施形態の弁座３４１〜３４３に相当し、図４におけるディスク部材１０及び連通孔１０ｈが本実施形態のディスク部材３１０及び連通孔３１０ｈに相当する）。ディスク部材３１０は、６個（第１実施形態では４個であった）の連通孔３１０ｈを有しており、図４に概略的に示すように、当該６個の連通孔３１０ｈの各々は、ディスク部材３１０の回転位置に応じて、各ダイヤフラム弁２１〜２３の背圧室２１ｂ〜２３ｂに設けられた背圧室流出孔２１ｃ〜２３ｃと選択的に連通することで当該ダイヤフラム弁２１〜２３のパイロット孔を解放するようになっている。より詳細には、ダイヤフラム弁２１〜２３のパイロット孔は、背圧室流出孔２１ｃ〜２３ｃと当該背圧室流出孔２１ｃ〜２３ｃに対応するように二次側流路部材３０４に設けられた流出孔４４〜４６とが、ディスク部材３１０の連通孔３１０ｈによって選択的に連通される時に解放されるようになっている。６個の連通孔３１０ｈは、周方向に６０度ずつ均等に配置されている。背圧室流出孔２１ｃ〜２３ｃ及び流出孔４４〜４６は、周方向に１２０度ずつ均等に配置されている。
【０１４１】
ディスク押え部材３０については、第１実施形態のシャワーヘッド１と同様であるが、念のため図５を参照しながら説明する（図５における弁座４１〜４３が本実施形態の弁座３４１〜３４３に相当し、図５におけるディスク部材１０及び連通孔１０ｈが本実施形態のディスク部材３１０及び連通孔３１０ｈに相当する）。図５に概略的に示すように、ディスク押え部材３０は、背圧室流出孔２１ｃ〜２３ｃとディスク部材３１０との間に介在しており、付勢手段の一例であるコイルバネ３５によって、ディスク部材３１０を背圧室流出孔２１ｃ〜２３から遠ざける方向に（二次側流路部材３０４に向けて）押し付けるようになっている。
【０１４２】
また、ディスク押え部材３０には、各ダイヤフラム弁２１〜２３の背圧室流出孔２１ｃ〜２３ｃと連通する流出連通路３１ｃ〜３３ｃが設けられている。本実施形態では、流出連通路３１ｃ〜３３ｃは、それぞれ管状部３１〜３３によって構成され、各管状部３１〜３３は、対応する背圧室流出孔２１ｃ〜２３ｃ内に挿入されている。そして、各管状部３１〜３３と背圧室流出孔２１ｃ〜２３ｃとの間に隙間が残存しており、当該隙間が、背圧室流入孔として機能するようになっている。（もっとも、図４に示すように、ダイヤフラム弁２１〜２３の一部に背圧室流入孔２１ｄ〜２３ｄを設ける態様も、本願出願の時点では本発明の範囲から除外されない。）
【０１４３】
図１７に戻って、第１実施形態のシャワーヘッド１と同様に、シャワーヘッド筐体７の下方部に、使用者が操作力を与える操作部としての押圧ボタン１１が設けられている。（押圧ボタン１１に替えて、他のタイプのボタンや、スライドスイッチ等が設けられてもよい。）
【０１４４】
押圧ボタン１１は、使用者による押圧操作の度に（使用者が操作力としての押圧力を与える度に）、回動軸１１ｓ回りに回動するようになっている。そして、押圧ボタン１１の当該回動動作に連動して、押圧ボタン１１の当接スライド傾斜部１１ａと棒部１２の基端部に設けられた当接環１２ａとの当接（及びスライド）を利用して、棒部１２がそれ自身の軸線方向に往復移動するようになっている。
【０１４５】
棒部１２は、その先端部が貯留室５内（水中）に露出されており（図６乃至図８も参照）、錆びない性質を有するステンレス等の金属製の棒材からなっている。本実施形態でも、棒部１２は、シャワーヘッド筐体７に一体的に固定された二次側流路部材３０４内を摺動移動可能に貫通している。水密を維持するべく、シールリング部材１２ｓが設けられている。棒部１２は、剛性体のみならず、紐のような塑性体や、ゴムのような弾性体、によって構成されていてもよい。
【０１４６】
ディスク部材３１０の回転動作開始時の状態についても、第１実施形態のシャワーヘッド１と同様であるが、念のため図６乃至図８を参照しながら説明する（図６乃至図８における要素部材４０が本実施形態の二次側流路部材３０４に相当し、図６乃至図８におけるディスク部材１０、連通孔１０ｈ及び歯１０ｔが本実施形態のディスク部材３１０、連通孔３１０ｈ及び歯３１０ｔに相当する）。
【０１４７】
図６乃至図８に示すように、貯留室５内に位置する棒部１２の先端部の周囲には、コイルバネ１４が配置されている。当該コイルバネ１４の基端は、二次側流路部材３０４に固定されており、それによってシャワーヘッド筐体７に対して（押圧ボタン１１の回動軸１１ｓに対して）固定されている。
【０１４８】
コイルバネ１４の先端には、爪部材１５が固定されており、棒部１２の先端には、爪部材１５のためのストッパ１３が取り付けられており、コイルバネ１４の先端及び爪部材１５は、コイルバネ１４の軸線方向の変形によって、ストッパ１３に対して棒部１２の基端側の領域において、当該軸線方向に移動可能となっている。
【０１４９】
更に、コイルバネ１４の先端及び爪部材１５は、コイルバネ１４の軸線方向に対して傾斜した方向への変形によって、当該傾斜した方向へも移動可能（姿勢変更可能）となっている。
【０１５０】
爪部材１５のディスク部材３１０側の側面には、ディスク部材３１０の歯３１０ｔと係合する爪１５ｔが設けられている。そして、棒部１２の移動中に、爪１５ｔが歯３１０ｔを引き込むことによって、ディスク部材３１０が回転されるようになっている（図６→図７→図８）。
【０１５１】
その他、ディスク部材３１０（歯３１０ｔ）が逆方向に回転するのを防止する止め爪１６が、二次側流路部材３０４上に設けられた止め爪固定部１７によって保持されている。
【０１５２】
［第３実施形態の作用］
次に、本実施形態によるシャワーヘッド３０１の作用について説明する。
【０１５３】
図１７を参照して、押圧ボタン１１が使用者によって押圧操作されると、その押圧力（操作力）によって、押圧ボタン１１の当接スライド傾斜部１１ａが回動軸１１ｓ回りに回動し、当接環１２ａを介して棒部１２を軸線方向に基端側（図１７の右側）へと移動させる。
【０１５４】
図６の状態は、押圧操作前の状態に対応している。この状態から棒部１２の移動が始まると、図７に示すように、爪部材１５の爪１５ｔがディスク部材３１０の歯３１０ｔを引き込むようにして、ディスク部材３１０が回転される。図８は、押圧ボタン１１が最奥部にあって棒部１２が最も基端側（図１７の右側）に移動された状態に対応している。図８の状態では、止め爪１６が、図６の状態よりも１つ先の歯３１０ｔを止めている。以上の通り、押圧ボタン１１の１回の押圧操作で、ディスク部材３１０は３０度回転する。
【０１５５】
図８の状態では、コイルバネ１４が、棒部１２の先端のストッパ１３及び爪部材１５と二次側流路部材３０４との間で圧縮された状態となっている。この状態で、押圧ボタン１１に対する押圧力が解除されると、コイルバネ１４の復元力によって、棒部１２及び押圧ボタン１１が元の位置（図６の状態）に戻される。この過程では、爪１５ｔは歯３１０ｔと係合していないし、止め爪１６の存在とも相俟って、ディスク部材３１０は逆回転しない。また、この過程において、爪部材１５は、コイルバネ１４の軸線方向に対して傾斜した方向への変形によって当該傾斜した方向へも移動可能（姿勢変更可能）であるため、ディスク部材３１０からの抵抗（干渉）を効果的に回避することができる。そして、爪部材１５は、元の位置（図６の状態）に戻ると、コイルバネ１４の復元力によって、前回引き込んだ歯の次の歯３１０ｔと係合する。
【０１５６】
前述のように、６つの連通孔３１０ｈは、周方向に６０度ずつ均等に配置されており、背圧室流出孔２１ｃ〜２３ｃ及び流出孔４４〜４６は、周方向に１２０度ずつ均等に配置されている。従って、ディスク部材３１０が３０度ずつ回転することによって、背圧室流出孔２１ｃ〜２３ｃと流出孔４４〜４６とが（組み合わせは自由だが）３組同時に連通する吐水モードと、背圧室流出孔２１ｃ〜２３ｃと流出孔４４〜４６とが互いに連通しない止水モードと、を順次に切り替えることができる。
【０１５７】
背圧室流出孔と流出孔とが連通せず、すなわち、対応するダイヤフラム弁のパイロット孔が解放されていない状態の一例が、図４及び図５の右側の状態である。図４及び図５の右側の状態は、背圧室流出孔２２ｃ、２３ｃと流出孔４５、４６とが、ディスク部材３１０によって遮断されている。一方、背圧室流入孔２２ｄ、２３ｄを介して（図４の場合）、あるいは、管状部３２、３３と背圧室流出孔２２ｃ、２３ｃとの間の隙間が背圧室流入孔として機能して（図５の場合）、貯留室５内の水圧と背圧室２３ｂ、２３ｃ内の水圧は等しくなっている。従って、コイルバネ５２、５３（図４及び図５では図示を省略されている）の付勢力によって、ダイヤフラム弁２２、２３は閉鎖状態にある。
【０１５８】
一方、背圧室流出孔と流出孔とが連通して、すなわち、対応するダイヤフラム弁のパイロット孔が解放された状態の一例が、図４及び図５の左側の状態である。図４及び図５の左側の状態は、背圧室流出孔２１ｃと流出孔４４とが、ディスク部材３１０の連通孔３１０ｈによって連通（解放）されている。この状態では、背圧室２１ｂから背圧室流出孔２１ｃ及び流出孔４４を介して水が流出することによって、貯留室５内の水圧が背圧室２１ｂ内の水圧よりも大きくなり、コイルバネ５１（図４及び図５では図示を省略されている）の付勢力にも拘わらず、ダイヤフラム弁２１が開放状態となる。
【０１５９】
［第３実施形態の効果］
以上のように、本実施形態のシャワーヘッド３０１によれば、３個のダイヤフラム弁２１〜２３によって二次側流路部材３０４の流路と貯留室５との連通（吐水）ないし遮断（止水）が制御されるため、吐水／止水の切り替え操作の操作力の顕著な低減を実現することができる。
【０１６０】
特に、本実施形態のシャワーヘッド３０１によれば、環状に配置された３個のダイヤフラム２１〜２３の背圧室２１ｂ〜２３ｂと貯留室５外の空間とを連通させるためのパイロット孔が、ダイヤフラム弁２１〜２３の配置の中心側の領域に集約的に設けられていて、共通のディスク部材３１０（パイロット弁）によって開閉されるため、シャワーヘッド３０１の小型化が実現でき、また、ディスク部材３１０（パイロット弁）の移動範囲（移動距離）も小さくてよいため、操作力の更なる低減が図れる。
【０１６１】
また、本実施形態のシャワーヘッド３０１によれば、ディスク部材３１０が、それ自身の回転軸回りに回転可能に支持されると共に外周部に歯３１０ｔを有している。このため、当該歯３１０ｔを利用することによって、ディスク部材３１０を容易に回転駆動することができる。
【０１６２】
また、本実施形態のシャワーヘッド３０１によれば、ディスク部材３１０が樹脂製であるため、高い平滑度を容易に実現できる。このため、摺動抵抗を抑えることができ、また、別途にシール部材を設ける必要がない。
【０１６３】
また、本実施形態のシャワーヘッド１によれば、ディスク部材３１０は、６個の連通孔３１０ｈを有しており、当該連通孔３１０ｈの各々は、ディスク部材３１０の回転位置に応じて、３個のダイヤフラム弁２１〜２３の背圧室２１ｂ〜２３ｂに設けられた背圧室流出孔２１ｃ〜２３ｃと選択的に連通することで当該ダイヤフラム弁２１〜２３のパイロット孔を解放するようになっている。これにより、シャワーヘッド３０１の更なる小型化が実現でき、また、ディスク部材３１０の回転角度（移動距離）が３０度と小さいため、操作力の更なる低減が図れる。
【０１６４】
また、本実施形態のシャワーヘッド３０１によれば、背圧室流出孔２１ｃ〜２３ｃとディスク部材３１０との間にディスク押え部材３０が介在しており、当該ディスク押え部材３０には、各ダイヤフラム弁２１〜２３の背圧室流出孔２１ｃ〜２３ｃと連通する流出連通路３１ｃ〜３３ｃが設けられており、また、当該ディスク押え部材３０は、コイルバネ３５によって、ディスク部材３１０を背圧室流出孔２１ｃ〜２３ｃから遠ざける方向に押し付けるようになっている。これにより、ディスク部材３１０に対して背圧室流出孔２１ｃ〜２３ｃとは反対側の部材（二次側流路部材３０４）と当該ディスク部材３１０との間にシール部材を設ける必要がない。
【０１６５】
特に、本実施形態のシャワーヘッド３０１によれば、流出連通路３１ｃ〜３３ｃがそれぞれ管状部３１〜３３によって構成され、各管状部３１〜３３は、対応する背圧室流出孔２１ｃ〜２３ｃ内に挿入されており、各管状部３１〜３３と背圧室流出孔２１ｃ〜２３ｃとの間の隙間が背圧室流入孔として機能するようになっている。当該隙間は、高い寸法精度で形成することが容易であるため、複数のダイヤフラム弁２１〜２３間で背圧室流入孔（隙間）の特性にバラツキが生じることを効果的に抑制することができる。
【０１６６】
また、本実施形態のシャワーヘッド３０１によれば、使用者が操作力を与える押圧ボタン１１と、当該押圧ボタン１１の押圧操作の度にそれ自身の軸線方向に往復移動する棒部１２と、棒部１２の先端側に取り付けられてディスク部材３１０の歯３１０ｔと係合する爪１５ｔを有する爪部材１５と、を備えた駆動機構によって、棒部１２の移動中に爪１５ｔが歯３１０ｔを引き込むことによってディスク部材３１０が回転されるようになっている。このように、引き込む方向に力を作用させることによって、棒部１２が座屈変形することを効果的に防止することができ、棒部１２に求められる剛性を低減できる。これにより、剛体のみならず、ひも状の塑性体や、ゴムなどの弾性体、によって棒部１２を構成することができるようになる。
【０１６７】
特に、本実施形態のシャワーヘッド３０１によれば、棒部１２の基端が押圧ボタン１１に接続されており、棒部１２の先端部の周囲にコイルバネ１４が配置されており、コイルバネ１４の基端は二次側流路部材３０４に固定され、コイルバネ１４の先端は爪部材１５に固定されており、棒部１２の先端には爪部材１５のためのストッパ１３が取り付けられている。これにより、爪部材１５は、コイルバネ１４の変形によって、棒部１２に対して相対移動可能（軸線方向及び軸線方向に対して傾斜した方向）となっている。このため、歯３１０ｔを引き込んだ後の爪部材１５が次の歯３１０ｔと係合するために元の位置（図６の位置）に戻る際に、ディスク部材３１０からの抵抗（干渉）を効果的に回避することができる。
【０１６８】
また、本実施形態のシャワーヘッド３０１によれば、３個のダイヤフラム弁２１〜２３は、一部品のダイヤフラム部材２０として一体化されており、周囲にシールリング部２４が設けられている。これにより、別途にシールリング部材を設ける必要がない（前述の第２実施形態参照）。
【０１６９】
また、本実施形態のシャワーヘッド３０１によれば、各ダイヤフラム弁２１〜２３はコイルバネ５１〜５３によってそれぞれ閉鎖方向に付勢されている。これにより、各ダイヤフラム弁２１〜２３の開閉動作が安定化されている。
【０１７０】
このような構成の場合でも、ディスク部材３１０（パイロット弁）による３個のパイロット孔の開閉状態の切り替えによって３個のダイヤフラム弁（主弁体）の開閉が制御されるため、グリスを利用することなく、長期間に亘って安定的に切り替え操作の操作力の顕著な低減を実現することができる。
【０１７１】
［第３実施形態の変形例１］
前述のように、第３実施形態のシャワーヘッド３０１は、３個のダイヤフラム弁２１〜２３によって吐水と止水とを切り替えることができるシャワーヘッドであり、３個のダイヤフラム弁２１〜２３は、それぞれ対応する背圧室流出孔２１ｃ〜２３ｃと流出孔４４〜４６とがディスク部材３１０の連通孔３１０ｈによって連通される時に開放状態となる。
【０１７２】
ここで、３個のダイヤフラム弁２１〜２３の各々に対応する背圧室２１ｂ〜２３ｂ同士を連通させておいて、３個の背圧室２１ｂ〜２３ｂに対して共通の背圧室流出孔を１個だけ設けておく（例えば、背圧室流出孔２１ｃ〜２３ｃのうちいずれか１個だけ設けておく）、という構成を採用することも可能である。（この場合、流出孔４４〜４６についても、対応する１個だけを設けておけば足りる。）
【０１７３】
このような構成の場合でも、第３実施形態のシャワーヘッド３０１と同様に、ディスク部材３１０が例えば６個の連通孔３１０ｈを周方向に６０度ずつ均等に有していれば、ディスク部材３１０が３０度ずつ回転することによって、１組のみ設けられた背圧室流出孔と流出孔とが連通する吐水モードと、当該１組の背圧室流出孔と流出孔とが互いに連通しない止水モードと、を順次に切り替えることができる。
【０１７４】
止水モード、すなわち、背圧室流出孔（２１ｃ〜２３ｃのうちいずれか１個）と流出孔（４４〜４６のうちいずれか１個）とが連通しない状態（図４及び図５の右側の状態）では、背圧室流入孔を介して貯留室５内の水圧と背圧室内の水圧は等しくなっており、コイルバネ（図４及び図５では図示を省略されている）の付勢力によって、ダイヤフラム弁２１〜２３は閉鎖状態にある。
【０１７５】
吐水モード、すなわち、背圧室流出孔（２１ｃ〜２３ｃのうちいずれか１個）と流出孔（４４〜４６のうちいずれか１個）とが連通した状態（図４及び図５の左側の状態）では、背圧室から背圧室流出孔及び流出孔を介して水が流出することによって、貯留室５内の水圧が背圧室内の水圧よりも大きくなり、コイルバネ（図４及び図５では図示を省略されている）の付勢力にも拘わらず、ダイヤフラム弁２１〜２３が開放状態となる。
【０１７６】
このような構成の場合でも、ディスク部材３１０（パイロット弁）による１個のパイロット孔の開閉状態の切り替えによって３個のダイヤフラム弁（主弁体）の開閉が制御されるため、グリスを利用することなく、長期間に亘って安定的に切り替え操作の操作力の顕著な低減を実現することができる。
【０１７７】
［第３実施形態の変形例２］
更に、吐水と止水とを切り替えることができるシャワーヘッドの場合、３個のダイヤフラム弁２１〜２３に代えて、１個のダイヤフラム弁のみを設けておく（例えば、ダイヤフラム弁２１〜２３のうちいずれか１個だけ設けておく、あるいは、サイズの大きい１個のダイヤフラム弁で３個のダイヤフラム弁２１〜２３を置換する）、という構成を採用することも可能である。（この場合、弁座３４１〜３４３についても、対応する１個だけを設けておけば足りる。）
【０１７８】
このような構成の場合でも、第３実施形態のシャワーヘッド３０１と同様に、ディスク部材３１０が例えば６個の連通孔３１０ｈを周方向に６０度ずつ均等に有していれば、ディスク部材３１０が３０度ずつ回転することによって、１個のみ設けられたダイヤフラム弁の背圧室流出孔と流出孔とが連通する吐水モードと、当該背圧室流出孔と流出孔とが互いに連通しない止水モードと、を順次に切り替えることができる。
【０１７９】
止水モード、すなわち、１個のみ設けられたダイヤフラム弁の背圧室流出孔と流出孔とが連通しない状態（図４及び図５の右側の状態）では、背圧室流入孔を介して貯留室５内の水圧と背圧室内の水圧は等しくなっており、コイルバネ（図４及び図５では図示を省略されている）の付勢力によって、当該１個のみのダイヤフラム弁は閉鎖状態にある。
【０１８０】
吐水モード、すなわち、１個のみ設けられたダイヤフラム弁の背圧室流出孔と流出孔とが連通した状態（図４及び図５の左側の状態）では、背圧室から背圧室流出孔及び流出孔を介して水が流出することによって、貯留室５内の水圧が背圧室内の水圧よりも大きくなり、コイルバネ（図４及び図５では図示を省略されている）の付勢力にも拘わらず、当該１個のみのダイヤフラム弁が開放状態となる。
【０１８１】
このような構成の場合でも、ディスク部材３１０（パイロット弁）による１個のパイロット孔の開閉状態の切り替えによって１個のダイヤフラム弁（主弁体）の開閉が制御されるため、グリスを利用することなく、長期間に亘って安定的に切り替え操作の操作力の顕著な低減を実現することができる。
【０１８２】
［第４実施形態の構成］
次に、図１９乃至図３０を参照して、本発明の第４実施形態によるシャワーヘッドについて説明する。本実施形態のシャワーヘッド４０１は、後述するように、吐水と止水とを切り替える操作と、吐水状態について複数の吐水モードを切り替える操作と、を２つの押圧ボタン４１１、５１１を用いて独立に行うことができるシャワーヘッドである。
【０１８３】
図１９は、本発明の第４実施形態によるシャワーヘッド４０１の斜視図であり、図２０は、本実施形態のシャワーヘッド４０１の正面図であり、図２１は、図２０のＸＸＩ−ＸＸＩ線断面図であり、図２２は、図２１のＸＸＩＩ−ＸＸＩＩ線断面図であり、図２３は、本実施形態のシャワーヘッド４０１の分解斜視図である。
【０１８４】
図１９乃至図２３に示すように、本実施形態のシャワーヘッド４０１も、給水源（不図示）から給水部材４０２、４０３を介して水が供給され貯留される貯留室４０５（キャビティとも称される）を備えている。
【０１８５】
そして、第１実施形態のシャワーヘッド１と同様に、貯留室４０５に対して当該シャワーヘッド４０１の吐水面側に、４つの略円板状の要素部材４４０、４４７、４４８、４４９の重ね合わせによって構成された二次側流路部材４０４が設けられている。二次側流路部材４０４は、３つ（複数の一例）の吐水モードに対応する３つ（複数の一例）の流路を有している。
【０１８６】
二次側流路部材４０４のうち貯留室４０５に面する要素部材４４０には、貯留室４０５側に盛り上がった弁座４４１、４４２、４４３ａ、４４３ａが形成されており、各弁座４４１、４４２、４４３ａ、４４３ａの中央には対応する流路に連通する連通孔が設けられている（後述の図２４も参照）。２個の平面視豆形状（図２２参照）の弁座４４１、４４２（及び対応する流路）は、環状に周方向に１２０度ずつ均等に分配された３領域のうちの２領域に配置され、２個の平面視円形状（図２２参照）の弁座４４３ａ、４４３ａ（及び対応する流路）は、前記３領域のうちの残りの１領域の両端に配置されている（後述する第２棒部５１２の軌道を確保するためである）。
【０１８７】
３領域の弁座４４１、４４２、４４３ａ、４４３ａに対応するように、ダイヤフラム弁４２１〜４２３が環状に設けられている（図２３参照）。３個のダイヤフラム弁４２１〜４２３は、一部品のダイヤフラム部材４２０として一体形成されているが、それぞれのダイヤフラム弁４２１〜４２３は独立に動作できるようになっている。
【０１８８】
また、ダイヤフラム部材４２０の外周部には、シールリング部４２４が形成されている。シールリング部４２４は、要素部材４４０の上縁部４４０ａとカバー部材４０８とによって水密に挟持されている。一方、ダイヤフラム部材４２０の中心側の領域は、スペース部材４３８を介して要素部材４４０の上面上に支持されている。
【０１８９】
また、各ダイヤフラム弁４２１〜４２３は、カバー部材４０８の下面との間に、それぞれコイルバネ４５１〜４５３（弾性部材の一例）が設けられており、当該コイルバネ４５１〜５４３によって閉鎖方向に付勢されている。
【０１９０】
また、本実施形態の３個のダイヤフラム弁４２１〜４２３は、環状に配置されており、各ダイヤフラム弁４２１〜４２３の背圧室４２１ｂ〜４２３ｂと貯留室４０５の外側の空間である要素部材４４０の下方の空間とを連通させるためのパイロット孔（一部はカバー部材４０８の下面側に形成された背圧室流出孔４２１ｃ〜４２３ｃ）が、当該３個のダイヤフラム弁４２１〜４２３の配置の中心側の領域に集約的に設けられていて、共通のパイロット弁として機能する第１ディスク部材４１０及び第２ディスク部材５１０によって開閉されるようになっている。（ダイヤフラム弁が２個の場合には、各ダイヤフラム弁の背圧室と貯留室４０５の外側の空間である要素部材４４０の下方の空間とを連通させるためのパイロット孔が、当該２個のダイヤフラム弁の配置の中間側の領域に集約的に設けられ得る。）
【０１９１】
第１ディスク部材４１０は、樹脂製であり、それ自身の回転軸回りに回転可能に支持されており、外周部に１２個の歯４１０ｔを有している（後述の図２５乃至図２７も参照）。
【０１９２】
第２ディスク部材５１０も、樹脂製であり、それ自身の回転軸回りに回転可能に支持されており、外周部に１２個の歯５１０ｔを有している（後述の図２８乃至図３０も参照）。
【０１９３】
本実施形態では、第１ディスク部材４１０と第２ディスク部材５１０との間に、要素部材４４０の上縁部４４０ａ（あるいはカバー部材４０８でもよい）に対して回転方向に固定されたディスク状の弁座６１０が設けられている（後述するコイルバネ４３５の付勢力を第１ディスク部材４１０に伝達するべく、軸方向には移動可能である）。すなわち、第１ディスク部材４１０及び第２ディスク部材５１０は、弁座６１０に対して、互いに独立に回転するようになっている。
【０１９４】
図２４は、パイロット孔の開閉について説明するための概略図である。第１ディスク部材４１０は、第１実施形態のディスク部材１０と同様、４個（複数の一例）の連通孔４１０ｈを有しており、図２４に概略的に示すように、当該４個の連通孔４１０ｈの各々は、第１ディスク部材４１０の回転位置に応じて、各ダイヤフラム弁４２１〜４２３の背圧室４２１ｂ〜４２３ｂに設けられた背圧室流出孔４２１ｃ〜４２３ｃと選択的に連通することで当該ダイヤフラム弁４２１〜４２３のパイロット孔を解放するようになっている。より詳細には、ダイヤフラム弁４２１〜４２３のパイロット孔は、背圧室流出孔４２１ｃ〜４２３ｃと当該背圧室流出孔４２１ｃ〜４２３ｃに対応するように要素部材４４０に設けられた流出孔４４４〜４４６とが、第１ディスク部材４１０の連通孔４１０ｈ（及び後述する第２ディスク部材５１０の連通孔５１０ｈ）によって選択的に連通される時に解放されるようになっている。４つの連通孔４１０ｈは、周方向に９０度ずつ均等に配置されている。背圧室流出孔４２１ｃ〜４２３ｃ及び流出孔４４４〜４４６は、周方向に１２０度ずつ均等に配置されている。
【０１９５】
第２ディスク部材５１０は、第３実施形態のディスク部材３１０と同様、６個の連通孔５１０ｈを有しており、図２４に概略的に示すように、当該６個の連通孔５１０ｈの各々は、ディスク部材５１０の回転位置に応じて、各ダイヤフラム弁４２１〜４２３の背圧室４２１ｂ〜４２３ｂに設けられた背圧室流出孔４２１ｃ〜４２３ｃと選択的に連通することで当該ダイヤフラム弁４２１〜４２３のパイロット孔を解放するようになっている。より詳細には、ダイヤフラム弁４２１〜４２３のパイロット孔は、背圧室流出孔４２１ｃ〜４２３ｃと当該背圧室流出孔４２１ｃ〜４２３ｃに対応するように要素部材４４０に設けられた流出孔４４４〜４４６とが、（前述の第１ディスク部材４１０の連通孔４１０ｈ及び）第２ディスク部材５１０の連通孔５１０ｈによって選択的に連通される時に解放されるようになっている。６個の連通孔５１０ｈは、周方向に６０度ずつ均等に配置されている。
【０１９６】
ディスク状の弁座６１０は、図２４に概略的に示すように、流出孔４４４〜４４６に対応するように３個の連通孔６１０ｈを有している。すなわち、連通孔６１０ｈは、周方向に１２０度ずつ均等に配置されている。
【０１９７】
更に、図２４を参照して、ディスク押え部材４３０について説明する。図２４に概略的に示すように、ディスク押え部材４３０は、カバー部材４０８の下面と第２ディスク部材５１０の上面との間に介在しており、付勢手段の一例であるコイルバネ４３５によって、第２ディスク部材５１０を背圧室流出孔４２１ｃ〜４２３ｃから遠ざける方向に（要素部材４４０に向けて）押し付けるようになっている。
【０１９８】
また、各ダイヤフラム弁４２１〜４２３の背圧室流出孔４２１ｃ〜４２３ｃは、ディスク押え部材４３０の周囲の領域を経て、第２ディスク部材５１０の連通孔５１０ｈと連通している。そして、ディスク押え部材４３０の周囲の領域は、スペース部材４３８等により形成された隙間を介して貯留室４０５にも連通しており、すなわち、当該隙間が背圧室流入孔として機能するようになっている。（もっとも、ダイヤフラム弁４２１〜４２３の一部に背圧室流入孔を設ける態様も、本願出願の時点では本発明の範囲から除外されない（図４参照）。）
【０１９９】
図１９に戻って、シャワーヘッド筐体４０７の下方部に、使用者が操作力を与える操作部としての第１押圧ボタン４１１が設けられている。（第１押圧ボタン４１１に替えて、他のタイプのボタンや、スライドスイッチ等が設けられてもよい。）
【０２００】
図２１乃至図２３を参照して、第１押圧ボタン４１１は、使用者による押圧操作の度に（使用者が操作力としての押圧力を与える度に）、回動軸４１１ｓ回りに回動するようになっている。そして、第１押圧ボタン４１１の当該回動動作に連動して、第１押圧ボタン４１１の当接スライド傾斜部（図２の当接スライド傾斜部１１ａと略同様の構成）と棒部４１２の基端部に設けられた当接環４１２ａとの当接（及びスライド）を利用して、棒部４１２がそれ自身の軸線方向に往復移動するようになっている。
【０２０１】
棒部４１２は、その先端部が貯留室４０５内（水中）に露出されており（図２５乃至図２７も参照）、錆びない性質を有するステンレス等の金属製の棒材からなっている。本実施形態では、棒部４１２は、シャワーヘッド筐体４０７に一体的に固定された要素部材４４０内を摺動移動可能に貫通している。水密を維持するべく、シールリング部材４１２ｓが設けられている。棒部４１２は、剛性体のみならず、紐のような塑性体や、ゴムのような弾性体、によって構成されていてもよい。
【０２０２】
図２５は、第１ディスク部材４１０の回転動作開始時の状態を説明するための概略図であり、図２６は、第１ディスク部材４１０の回転動作中の状態を説明するための概略図であり、図２７は、第１ディスク部材４１０の回転動作終了時の状態を説明するための概略図である。
【０２０３】
図２５乃至図２７に示すように、貯留室４０５内に位置する棒部４１２の先端部の周囲には、コイルバネ４１４が配置されている。当該コイルバネ４１４の基端は、要素部材４４０に固定されており、それによってシャワーヘッド筐体４０７に対して（第１押圧ボタン４１１の回動軸４１１ｓに対して）固定されている。
【０２０４】
コイルバネ４１４の先端には、爪部材４１５が固定されており、棒部４１２の先端には、爪部材４１５のためのストッパ４１３が取り付けられており、コイルバネ４１４の先端及び爪部材４１５は、コイルバネ４１４の軸線方向の変形によって、ストッパ４１３に対して棒部４１２の基端側の領域において、当該軸線方向に移動可能となっている。
【０２０５】
更に、コイルバネ４１４の先端及び爪部材４１５は、コイルバネ４１４の軸線方向に対して傾斜した方向への変形によって、当該傾斜した方向へも移動可能（姿勢変更可能）となっている。
【０２０６】
爪部材４１５の第１ディスク部材４１０側の側面には、第１ディスク部材４１０の歯４１０ｔと係合する爪４１５ｔが設けられている。そして、棒部４１２の移動中に、爪４１５ｔが歯４１０ｔを引き込むことによって、第１ディスク部材４１０が回転されるようになっている（図２５→図２６→図２７）。
【０２０７】
その他、第１ディスク部材４１０（歯４１０ｔ）が逆方向に回転するのを防止する止め爪４１６が、要素部材４４０（あるいはカバー部材４０８）に保持されている。
【０２０８】
更に本実施形態では、図１９に示すように、シャワーヘッド筐体４０７の下方部に、使用者が操作力を与える操作部としての第２押圧ボタン５１１も設けられている。（第２押圧ボタン５１１に替えて、他のタイプのボタンや、スライドスイッチ等が設けられてもよい。）
【０２０９】
再び図２１乃至図２３を参照して、第２押圧ボタン５１１も、使用者による押圧操作の度に（使用者が操作力としての押圧力を与える度に）、回動軸５１１ｓ（本実施形態では回動軸４１１ｓを兼ねている）回りに回動するようになっている。そして、第２押圧ボタン５１１の当該回動動作に連動して、第２押圧ボタン５１１の当接スライド傾斜部（図２の当接スライド傾斜部１１ａと略同様の構成）と棒部５１２の基端部に設けられた当接環５１２ａとの当接（及びスライド）を利用して、棒部５１２がそれ自身の軸線方向に往復移動するようになっている。
【０２１０】
本実施形態では、２つの棒部４１２、５１２は、要素部材４４０の上面に対して略同じ高さに、互いに略平行に配置されている（図２２参照）。
【０２１１】
棒部５１２も、その先端部が貯留室４０５内（水中）に露出されており（図２８乃至図３０も参照）、錆びない性質を有するステンレス等の金属製の棒材からなっている。本実施形態では、棒部５１２も、シャワーヘッド筐体４０７に一体的に固定された要素部材４４０内を摺動移動可能に貫通している。水密を維持するべく、シールリング部材５１２ｓが設けられている。棒部５１２についても、剛性体のみならず、紐のような塑性体や、ゴムのような弾性体、によって構成されていてもよい。
【０２１２】
図２８は、第２ディスク部材５１０の回転動作開始時の状態を説明するための概略図であり、図２９は、第２ディスク部材５１０の回転動作中の状態を説明するための概略図であり、図３０は、第２ディスク部材５１０の回転動作終了時の状態を説明するための概略図である。
【０２１３】
図２８乃至図３０に示すように、貯留室４０５内に位置する棒部５１２の先端部の周囲にも、コイルバネ５１４が配置されている。当該コイルバネ５１４の基端は、要素部材４４０に固定されており、それによってシャワーヘッド筐体４０７に対して（第２押圧ボタン５１１の回動軸５１１ｓに対して）固定されている。
【０２１４】
コイルバネ５１４の先端にも、爪部材５１５が固定されており、棒部５１２の先端には、爪部材５１５のためのストッパ５１３が取り付けられており、コイルバネ５１４の先端及び爪部材５１５は、コイルバネ５１４の軸線方向の変形によって、ストッパ５１３に対して棒部５１２の基端側の領域において、当該軸線方向に移動可能となっている。
【０２１５】
更に、コイルバネ５１４の先端及び爪部材５１５は、コイルバネ５１４の軸線方向に対して傾斜した方向への変形によって、当該傾斜した方向へも移動可能（姿勢変更可能）となっている。
【０２１６】
爪部材５１５の先端領域は、第１ディスク部材４１０と第２ディスク部材５１０との高さ方向のオフセットを補償するべく上方側に延出しており、当該延出領域の第２ディスク部材５１０側の側面に、第２ディスク部材５１０の歯５１０ｔと係合する爪５１５ｔが設けられている（図２３参照）。そして、棒部５１２の移動中に、爪５１５ｔが歯５１０ｔを引き込むことによって、第２ディスク部材５１０が回転されるようになっている（図２８→図２９→図３０）。
【０２１７】
その他、第２ディスク部材５１０（歯５１０ｔ）が逆方向に回転するのを防止する止め爪５１６が、要素部材４４０（あるいはカバー部材４０８）に保持されている。
【０２１８】
［第４実施形態の作用］
次に、本実施形態によるシャワーヘッド４０１の作用について説明する。
【０２１９】
図１９を参照して、第１押圧ボタン４１１が使用者によって押圧操作されると、その押圧力（操作力）によって、第１押圧ボタン４１１の当接スライド傾斜部が回動軸４１１ｓ回りに回動し、当接環４１２ａを介して棒部４１２を軸線方向に基端側（図２２の下側）へと移動させる。
【０２２０】
図２５の状態は、押圧操作前の状態に対応している。この状態から棒部４１２の移動が始まると、図２６に示すように、爪部材４１５の爪４１５ｔが第１ディスク部材４１０の歯４１０ｔを引き込むようにして、第１ディスク部材４１０が回転される。図２７は、第１押圧ボタン４１１が最奥部にあって棒部４１２が最も基端側（図２２の下側）に移動された状態に対応している。図２７の状態では、止め爪４１６が、図２５の状態よりも１つ先の歯４１０ｔを止めている。以上の通り、第１押圧ボタン４１１の１回の押圧操作で、第１ディスク部材４１０は３０度回転する。
【０２２１】
図２７の状態では、コイルバネ４１４が、棒部４１２の先端のストッパ４１３及び爪部材４１５と要素部材４４０との間で圧縮された状態となっている。この状態で、第１押圧ボタン４１１に対する押圧力が解除されると、コイルバネ４１４の復元力によって、棒部４１２及び第１押圧ボタン４１１が元の位置（図２５の状態）に戻される。この過程では、爪４１５ｔは歯４１０ｔと係合していないし、止め爪４１６の存在とも相俟って、第１ディスク部材４１０は逆回転しない。また、この過程において、爪部材４１５は、コイルバネ４１４の軸線方向に対して傾斜した方向への変形によって当該傾斜した方向へも移動可能（姿勢変更可能）であるため、第１ディスク部材４１０からの抵抗（干渉）を効果的に回避することができる。そして、爪部材４１５は、元の位置（図２５の状態）に戻ると、コイルバネ４１４の復元力によって、前回引き込んだ歯の次の歯４１０ｔと係合する。
【０２２２】
前述のように、４つの連通孔４１０ｈは、周方向に９０度ずつ均等に配置されており、背圧室流出孔４２１ｃ〜４２３ｃ及び流出孔４４４〜４４６は、周方向に１２０度ずつ均等に配置されている。従って、第２ディスク部材５１０の連通孔５１０ｈが流出孔４４、４５、４６（及び弁座の連通孔６１０ｈ）に対応する位置にある場合、第１ディスク部材４１０が３０度ずつ回転することによって、背圧室流出孔４２１ｃと流出孔４４４とが連通して背圧室流出孔４２２ｃ、４２３ｃと流出孔４４５、４４６とは連通しない第１吐水モードと、背圧室流出孔４２２ｃと流出孔４４５とが連通して背圧室流出孔４２１ｃ、４２３ｃと流出孔４４４、４４６とは連通しない第２吐水モードと、背圧室流出孔４２３ｃと流出孔４４６とが連通して背圧室流出孔４２１ｃ、４２２ｃと流出孔４４４、４４５とは連通しない第３吐水モードと、を順次に切り替えることができる。
【０２２３】
背圧室流出孔と流出孔とが連通せず、すなわち、対応するダイヤフラム弁のパイロット孔が解放されていない状態の一例が、図２４の右側の状態である。図２４の右側の状態は、背圧室流出孔４２２ｃ、４２３ｃと流出孔４４５、４４６とが、第１ディスク部材４１０によって遮断されている。一方、背圧室流入孔を介して、貯留室４０５内の水圧と背圧室４２３ｂ、４２３ｃ内の水圧は等しくなっている。従って、コイルバネ４５２、４５３（図２４では図示を省略されている）の付勢力によって、ダイヤフラム弁４２２、４２３は閉鎖状態にある。
【０２２４】
一方、背圧室流出孔と流出孔とが連通して、すなわち、対応するダイヤフラム弁のパイロット孔が解放された状態の一例が、図２４の左側の状態である。図２４の左側の状態は、背圧室流出孔４２１ｃと流出孔４４４とが、第１ディスク部材４１０の連通孔４１０ｈによって連通（解放）されている。この状態では、背圧室４２１ｂから背圧室流出孔４２１ｃ及び流出孔４４４を介して水が流出することによって、貯留室４０５内の水圧が背圧室４２１ｂ内の水圧よりも大きくなり、コイルバネ４５１（図２４では図示を省略されている）の付勢力にも拘わらず、ダイヤフラム弁４２１が開放状態となる。
【０２２５】
そして、本実施形態のシャワーヘッド４０１においては、第１押圧ボタン４１１を操作することによって複数の吐水モードを切り替えることに加えて、第２押圧ボタン５１１を操作することによって止水と吐水とを切り替えることができる。
【０２２６】
すなわち、図１９を参照して、第２押圧ボタン５１１が使用者によって押圧操作されると、その押圧力（操作力）によって、第２押圧ボタン５１１の当接スライド傾斜部が回動軸５１１ｓ回りに回動し、当接環５１２ａを介して棒部５１２を軸線方向に基端側（図２２の下側）へと移動させる。
【０２２７】
図２８の状態は、押圧操作前の状態に対応している。この状態から棒部５１２の移動が始まると、図２９に示すように、爪部材５１５の爪５１５ｔが第２ディスク部材５１０の歯５１０ｔを引き込むようにして、第２ディスク部材５１０が回転される。図３０は、第２押圧ボタン５１１が最奥部にあって棒部５１２が最も基端側（図２２の下側）に移動された状態に対応している。図３０の状態では、止め爪５１６が、図２８の状態よりも１つ先の歯５１０ｔを止めている。以上の通り、第２押圧ボタン５１１の１回の押圧操作で、第２ディスク部材５１０は３０度回転する。
【０２２８】
図３０の状態では、コイルバネ５１４が、棒部５１２の先端のストッパ５１３及び爪部材５１５と要素部材４４０との間で圧縮された状態となっている。この状態で、第２押圧ボタン５１１に対する押圧力が解除されると、コイルバネ５１４の復元力によって、棒部５１２及び第２押圧ボタン５１１が元の位置（図２８の状態）に戻される。この過程では、爪５１５ｔは歯５１０ｔと係合していないし、止め爪５１６の存在とも相俟って、第２ディスク部材５１０は逆回転しない。また、この過程において、爪部材５１５は、コイルバネ５１４の軸線方向に対して傾斜した方向への変形によって当該傾斜した方向へも移動可能（姿勢変更可能）であるため、第２ディスク部材５１０からの抵抗（干渉）を効果的に回避することができる。そして、爪部材５１５は、元の位置（図２８の状態）に戻ると、コイルバネ５１４の復元力によって、前回引き込んだ歯の次の歯５１０ｔと係合する。
【０２２９】
前述のように、６つの連通孔５１０ｈは、周方向に６０度ずつ均等に配置されており、背圧室流出孔４２１ｃ〜４２３ｃ及び流出孔４４４〜４４６は、周方向に１２０度ずつ均等に配置されている。従って、第２ディスク部材５１０が３０度ずつ回転することによって、背圧室流出孔及び流出孔と第２ディスク部材５１０の連通孔５１０ｈとが連通する吐水モードと、背圧室流出孔及び流出孔と第２ディスク部材５１０の連通孔５１０ｈとが連通しない止水モードと、を順次に切り替えることができる。
【０２３０】
［第４実施形態の効果］
以上のように、本実施形態のシャワーヘッド４０１によれば、３個のダイヤフラム弁４４２１〜４２３によって３個の流路の各々と貯留室４０５との連通ないし遮断が制御されるため、流路の切り替え操作の操作力の顕著な低減を実現することができる。
【０２３１】
特に、本実施形態のシャワーヘッド４０１によれば、吐水と止水とを切り替える操作と、吐水状態について複数の吐水モードを切り替える操作と、を２つの押圧ボタン４１１、５１１を用いて独立に行うことができるため、操作性に優れる。
【０２３２】
また、本実施形態のシャワーヘッド４０１によれば、環状に配置された３個のダイヤフラム４２１〜４２３の背圧室４２１ｂ〜４２３ｂと貯留室４０５外の空間とを連通させるためのパイロット孔が、ダイヤフラム弁４２１〜４２３の配置の中心側の領域に集約的に設けられていて、共通の第１ディスク部材４１０及び第２ディスク部材５１０（パイロット弁）によって開閉されるため、シャワーヘッド４０１の小型化が実現でき、また、第１ディスク部材４１０及び第２ディスク部材５１０（パイロット弁）の移動範囲（移動距離）も小さくてよいため、操作力の更なる低減が図れる。
【０２３３】
また、本実施形態のシャワーヘッド４０１によれば、第１ディスク部材４１０が、それ自身の回転軸回りに回転可能に支持されると共に外周部に歯４１０ｔを有している。このため、当該歯４１０ｔを利用することによって、第１ディスク部材４１０を容易に回転駆動することができる。
【０２３４】
また、本実施形態のシャワーヘッド４０１によれば、第１ディスク部材４１０が樹脂製であるため、高い平滑度を容易に実現できる。このため、摺動抵抗を抑えることができ、また、別途にシール部材を設ける必要がない。
【０２３５】
また、本実施形態のシャワーヘッド４０１によれば、第１ディスク部材４１０は、４個の連通孔４１０ｈを有しており、当該連通孔４１０ｈの各々は、第１ディスク部材４１０の回転位置に応じて、３個のダイヤフラム弁４２１〜４２３の背圧室４２１ｂ〜４２３ｂに設けられた背圧室流出孔４２１ｃ〜４２３ｃと選択的に連通することで当該ダイヤフラム弁４２１〜４２３のパイロット孔を解放するようになっている。これにより、シャワーヘッド４０１の更なる小型化が実現でき、また、第１ディスク部材４１０の回転角度（移動距離）が３０度と小さいため、操作力の更なる低減が図れる。
【０２３６】
略同様に、本実施形態のシャワーヘッド４０１によれば、第２ディスク部材５１０が、それ自身の回転軸回りに回転可能に支持されると共に外周部に歯５１０ｔを有している。このため、当該歯５１０ｔを利用することによって、第２ディスク部材５１０を容易に回転駆動することができる。
【０２３７】
また、本実施形態のシャワーヘッド４０１によれば、第２ディスク部材５１０が樹脂製であるため、高い平滑度を容易に実現できる。このため、摺動抵抗を抑えることができ、また、別途にシール部材を設ける必要がない。
【０２３８】
また、本実施形態のシャワーヘッド４０１によれば、第２ディスク部材５１０は、６個の連通孔５１０ｈを有しており、当該連通孔５１０ｈの各々は、第２ディスク部材５１０の回転位置に応じて、３個のダイヤフラム弁４２１〜４２３の背圧室４２１ｂ〜４２３ｂに設けられた背圧室流出孔４２１ｃ〜４２３ｃと選択的に連通することで当該ダイヤフラム弁４２１〜４２３のパイロット孔を解放するようになっている。これにより、シャワーヘッド４０１の更なる小型化が実現でき、また、第２ディスク部材５１０の回転角度（移動距離）が３０度と小さいため、操作力の更なる低減が図れる。
【０２３９】
また、本実施形態のシャワーヘッド４０１によれば、背圧室流出孔４２１ｃ〜４２３ｃと第２ディスク部材５１０との間にディスク押え部材４３０が介在しており、当該ディスク押え部材４３０は、コイルバネ４３５によって、第２ディスク部材５１０、弁座６１０及び第１ディスク部材４１０を背圧室流出孔４２１ｃ〜４２３ｃから遠ざける方向に押し付けるようになっている。これにより、第１ディスク部材４１０に対して背圧室流出孔４２１ｃ〜４２３ｃとは反対側の部材（要素部材４４０）と第１ディスク部材４１０との間にシール部材を設ける必要がない。
【０２４０】
また、本実施形態のシャワーヘッド４０１によれば、スペース部材４３８等により形成された、ディスク押え部材４３０の周囲の領域に通じる隙間が、背圧室流入孔として機能するようになっている。当該隙間は、高い寸法精度で形成することが容易であるため、複数のダイヤフラム弁２１〜２３間で背圧室流入孔（隙間）の特性にバラツキが生じることを効果的に抑制することができる。
【０２４１】
また、本実施形態のシャワーヘッド４０１によれば、使用者が操作力を与える第１押圧ボタン４１１と、当該第１押圧ボタン４１１の押圧操作の度にそれ自身の軸線方向に往復移動する棒部４１２と、棒部４１２の先端側に取り付けられて第１ディスク部材４１０の歯４１０ｔと係合する爪４１５ｔを有する爪部材４１５と、を備えた駆動機構によって、棒部４１２の移動中に爪４１５ｔが歯４１０ｔを引き込むことによって第１ディスク部材４１０が回転されるようになっている。このように、引き込む方向に力を作用させることによって、棒部４１２が座屈変形することを効果的に防止することができ、棒部４１２に求められる剛性を低減できる。これにより、剛体のみならず、ひも状の塑性体や、ゴムなどの弾性体、によって棒部４１２を構成することができるようになる。
【０２４２】
特に、本実施形態のシャワーヘッド４０１によれば、棒部４１２の基端が第１押圧ボタン４１１に接続されており、棒部４１２の先端部の周囲にコイルバネ４１４が配置されており、コイルバネ４１４の基端は要素部材４４０に固定され、コイルバネ４１４の先端は爪部材４１５に固定されており、棒部４１２の先端には爪部材４１５のためのストッパ４１３が取り付けられている。これにより、爪部材４１５は、コイルバネ４１４の変形によって、棒部４１２に対して相対移動可能（軸線方向及び軸線方向に対して傾斜した方向）となっている。このため、歯４１０ｔを引き込んだ後の爪部材４１５が次の歯４１０ｔと係合するために元の位置（図２５の位置）に戻る際に、第１ディスク部材４１０からの抵抗（干渉）を効果的に回避することができる。
【０２４３】
略同様に、本実施形態のシャワーヘッド４０１によれば、使用者が操作力を与える第２押圧ボタン５１１と、当該第２押圧ボタン５１１の押圧操作の度にそれ自身の軸線方向に往復移動する棒部５１２と、棒部５１２の先端側に取り付けられて第２ディスク部材５１０の歯５１０ｔと係合する爪５１５ｔを有する爪部材５１５と、を備えた駆動機構によって、棒部５１２の移動中に爪５１５ｔが歯５１０ｔを引き込むことによって第２ディスク部材５１０が回転されるようになっている。このように、引き込む方向に力を作用させることによって、棒部５１２が座屈変形することを効果的に防止することができ、棒部５１２に求められる剛性を低減できる。これにより、剛体のみならず、ひも状の塑性体や、ゴムなどの弾性体、によって棒部５１２を構成することができるようになる。
【０２４４】
特に、本実施形態のシャワーヘッド４０１によれば、棒部５１２の基端が第２押圧ボタン５１１に接続されており、棒部５１２の先端部の周囲にコイルバネ５１４が配置されており、コイルバネ５１４の基端は要素部材４４０に固定され、コイルバネ５１４の先端は爪部材５１５に固定されており、棒部５１２の先端には爪部材５１５のためのストッパ５１３が取り付けられている。これにより、爪部材５１５は、コイルバネ５１４の変形によって、棒部５１２に対して相対移動可能（軸線方向及び軸線方向に対して傾斜した方向）となっている。このため、歯５１０ｔを引き込んだ後の爪部材５１５が次の歯５１０ｔと係合するために元の位置（図２８の位置）に戻る際に、第２ディスク部材５１０からの抵抗（干渉）を効果的に回避することができる。
【０２４５】
また、本実施形態のシャワーヘッド４０１によれば、３個のダイヤフラム弁４２１〜４２３は、一部品のダイヤフラム部材４２０として一体化されており、周囲にシールリング部２４が設けられている。これにより、別途にシールリング部材を設ける必要がない（前述の第２実施形態参照）。
【０２４６】
また、本実施形態のシャワーヘッド４０１によれば、各ダイヤフラム弁４２１〜４２３はコイルバネ４５１〜４５３によってそれぞれ閉鎖方向に付勢されている。これにより、各ダイヤフラム弁４２１〜４２３の開閉動作が安定化されている。
【０２４７】
［流路パターンについての補足］
第４実施形態のシャワーヘッド４０１でも、３個のダイヤフラム弁４２１〜４２３の各々の開閉が、二次側流路部材４０４の３個の流路の各々の連通／遮断に１：１に対応しており、第１ディスク部材４１０の回転位置に応じて、いずれか１個のダイヤフラム弁のみが開放され、すなわち、いずれか１個の流路のみが連通されるようになっているが、本発明はそのような態様に限定されない。
【０２４８】
例えば、第１ディスク部材４１０の連通孔４１０ｈの配置パターンを変更する等して、第１ディスク部材４１０の回転位置に応じて、同時に複数のダイヤフラム弁が開放され、すなわち、同時に複数の流路が連通されて複合的に吐水がなされてもよい。
【０２４９】
あるいは、二次側流路部材４０４の流路のパターンを変更する等して、ある１個のダイヤフラム弁が開放される時に、同時に複数の流路が連通されて複合的に吐水がなされてもよい。
【符号の説明】
【０２５０】
１        シャワーヘッド
２        給水部材
３        給水部材
４        二次側流路部材
５        貯留室
７        シャワーヘッド筐体
８        カバー部材
１０      ディスク部材
１０ｈ    連通孔
１０ｔ    歯
１１      押圧ボタン
１１ａ    当接スライド傾斜部
１１ｓ    回動軸
１２      棒部
１２ａ    当接環
１２ｓ    シールリング部材
１３      ストッパ
１４      コイルバネ
１５      爪部材
１５ｔ    爪
１６      止め爪
１７      止め爪固定部
２０      ダイヤフラム部材
２１      ダイヤフラム弁
２１ｂ    背圧室
２１ｃ    背圧室流出孔
２１ｄ    背圧室流入孔
２２      ダイヤフラム弁
２２ｂ    背圧室
２２ｃ    背圧室流出孔
２２ｄ    背圧室流入孔
２３      ダイヤフラム弁
２３ｂ    背圧室
２３ｃ    背圧室流出孔
２３ｃ    背圧室
２３ｄ    背圧室流入孔
２４      シールリング部
３０      ディスク押え部材
３１      管状部
３１ｃ    流出連通路
３２      管状部
３２ｃ    流出連通路
３３      管状部
３３ｃ    流出連通路
３５      コイルバネ
３８      スペース部材
４０      要素部材
４０ａ    上縁部
４１      弁座
４２      弁座
４３      弁座
４４      流出孔
４５      流出孔
４６      流出孔
４７      要素部材
４８      要素部材
４９      要素部材
５１      コイルバネ
５２      コイルバネ
５３      コイルバネ
１０１    シャワーヘッド
１０２    給水部材
１０３    給水部材
１０４    二次側流路部材
１０５    貯留室
１０７    シャワーヘッド筐体
１０８    カバー部材
１０８ａ  カバー本体
１０８ｂ  上方ディスク
１０８ｃ  上方ディスク
１１０    ディスク部材
１１０ｈ  連通孔
１１０ｔ  歯
１１１    押圧ボタン
１１１ａ  当接スライド傾斜部
１１１ｓ  回動軸
１１２    棒部
１１２ａ  当接環
１１２ｓ  シールリング部材
１１３    ストッパ
１１４    コイルバネ
１１５    爪部材
１１５ｔ  爪
１１６    止め爪
１１７    止め爪固定部
１２１    ダイヤフラム弁
１２１ｂ  背圧室
１２１ｃ  背圧室流出孔
１２１ｄ  背圧室流入孔
１２２    ダイヤフラム弁
１２２ｂ  背圧室
１２２ｃ  背圧室流出孔
１２２ｄ  背圧室流入孔
１２３    ダイヤフラム弁
１２３ｂ  背圧室
１２３ｃ  背圧室流出孔
１２３ｄ  背圧室流入孔
１２４    シールリング部材
１３０    ディスク押え部材
１３１    管状部
１３１ｃ  流出連通路
１３２    管状部
１３２ｃ  流出連通路
１３３    管状部
１３３ｃ  流出連通路
１３５    コイルバネ
１４０    要素部材
１４０ａ  上縁部
１４１    弁座
１４２    弁座
１４３    弁座
１４４    流出孔
１４５    流出孔
１４６    流出孔
１４７    要素部材
１４８    要素部材
１４９    要素部材
１５１    コイルバネ
１５２    コイルバネ
１５３    コイルバネ
１６１    中央吐水口部材
１６２    中央吐水口部材
１６３    中央吐水口部材
１６５    シール部材
１７１    スペース部材
１７２    スペース部材
１７３    スペース部材
３０１    シャワーヘッド
３０４    二次側流路部材
３１０    ディスク部材
３１０ｈ  連通孔
３１０ｔ  歯
３４１    弁座
３４２    弁座
３４３    弁座
４０１    シャワーヘッド
４０２    給水部材
４０３    給水部材
４０４    二次側流路部材
４０５    貯留室
４０７    シャワーヘッド筐体
４０８    カバー部材
４１０    第１ディスク部材
４１０ｈ  連通孔
４１０ｔ  歯
４１１    第１押圧ボタン
４１１ａ  当接スライド傾斜部
４１１ｓ  回動軸
４１２    棒部
４１２ａ  当接環
４１２ｓ  シールリング部材
４１３    ストッパ
４１４    コイルバネ
４１５    爪部材
４１５ｔ  爪
４１６    止め爪
４２０    ダイヤフラム部材
４２１    ダイヤフラム弁
４２１ｂ  背圧室
４２１ｃ  背圧室流出孔
４２２    ダイヤフラム弁
４２２ｂ  背圧室
４２２ｃ  背圧室流出孔
４２３    ダイヤフラム弁
４２３ｂ  背圧室
４２３ｃ  背圧室流出孔
４２４    シールリング部
４３０    ディスク押え部材
４３５    コイルバネ
４３８    スペース部材
４４０    要素部材
４４０ａ  上縁部
４４１    弁座
４４２    弁座
４４３ａ    弁座
４４３ｂ    弁座
４４４    流出孔
４４５    流出孔
４４６    流出孔
４４７    要素部材
４４８    要素部材
４４９    要素部材
４５１    コイルバネ
４５２    コイルバネ
４５３    コイルバネ
【図１】
2020044321.tif 000003
【図２】
2020044321.tif 000004
【図３】
2020044321.tif 000005
【図４】
2020044321.tif 000006
【図５】
2020044321.tif 000007
【図６】
2020044321.tif 000008
【図７】
2020044321.tif 000009
【図８】
2020044321.tif 000010
【図９】
2020044321.tif 000011
【図１０】
2020044321.tif 000012
【図１１】
2020044321.tif 000013
【図１２】
2020044321.tif 000014
【図１３】
2020044321.tif 000015
【図１４】
2020044321.tif 000016
【図１５】
2020044321.tif 000017
【図１６】
2020044321.tif 000018
【図１７】
2020044321.tif 000019
【図１８】
2020044321.tif 000020
【図１９】
2020044321.tif 000021
【図２０】
2020044321.tif 000022
【図２１】
2020044321.tif 000023
【図２２】
2020044321.tif 000024
【図２３】
2020044321.tif 000025
【図２４】
2020044321.tif 000026
【図２５】
2020044321.tif 000027
【図２６】
2020044321.tif 000028
【図２７】
2020044321.tif 000029
【図２８】
2020044321.tif 000030
【図２９】
2020044321.tif 000031
【図３０】
2020044321.tif 000032
【手続補正書】
【提出日】令和2年1月22日(2020.1.22)
【手続補正１】
【補正対象書類名】特許請求の範囲
【補正対象項目名】全文
【補正方法】変更
【補正の内容】
【特許請求の範囲】
【請求項１】
水を複数の吐水口へ導く流路を有するシャワーヘッドであって、
前記流路内に変位可能に支持された主弁体と、
前記主弁体に対して前記流路の上流側に隣接し、当該流路の上流側から供給される水を収容し、当該水の圧力を利用して前記主弁体を閉弁方向に付勢する背圧室と、
前記流路の下流側と前記背圧室とを連通するパイロット孔と、
前記パイロット孔の開閉状態を選択的に制御するパイロット弁と、
使用者の操作によって、前記パイロット弁による前記パイロット孔の開閉状態を切り替える操作部と、
を備えたことを特徴とするシャワーヘッド。
【請求項２】
水を複数の吐水口へ導く流路を有するシャワーヘッドであって、
前記流路内に各々変位可能に支持された複数の主弁体と、
前記複数の主弁体の各々に対して前記流路の上流側に隣接し、当該流路の上流側から供給される水を収容し、当該水の圧力を利用して前記複数の主弁体をそれぞれ閉弁方向に付勢する複数の背圧室と、
前記流路の下流側と前記複数の背圧室の各々とを連通する複数のパイロット孔と、
前記複数のパイロット孔の開閉状態を選択的に制御するパイロット弁と、
使用者の操作によって、前記パイロット弁による前記複数のパイロット孔の開閉状態を切り替える操作部と、
を備えたことを特徴とするシャワーヘッド。
【請求項３】
前記パイロット弁は、複数の連通孔を有しており、
前記複数の連通孔の各々は、各主弁体の背圧室に設けられた背圧室流出孔と選択的に連通することで当該主弁体のパイロット孔を解放するようになっている
ことを特徴とする請求項２に記載のシャワーヘッド。
【請求項４】
複数の吐水モードを切り替えることができるシャワーヘッドであって、
給水源からの水が貯留される貯留室と、
前記貯留室に対して当該シャワーヘッドの吐水面側に設けられ、前記複数の吐水モードに対応する複数の流路を有する二次側流路部材と、
前記複数の流路の各々と前記貯留室との連通ないし遮断を制御する複数のダイヤフラム弁と、
を備えたことを特徴とするシャワーヘッド。
【請求項５】
前記複数のダイヤフラム弁は、２個のダイヤフラム弁であり、
各ダイヤフラム弁の背圧室と前記貯留室外の空間とを連通させるためのパイロット孔が、当該２個のダイヤフラム弁の配置の中間側の領域に集約的に設けられていて、共通のパイロット弁によって開閉されるようになっている
ことを特徴とする請求項４に記載のシャワーヘッド。
【請求項６】
前記複数のダイヤフラム弁は、環状に配置された３個以上のダイヤフラム弁であり、
各ダイヤフラム弁の背圧室と前記貯留室外の空間とを連通させるためのパイロット孔が、当該３個以上のダイヤフラム弁の配置の中心側の領域に集約的に設けられていて、共通のパイロット弁によって開閉されるようになっている
ことを特徴とする請求項４に記載のシャワーヘッド。
【請求項７】
前記共通のパイロット弁は、それ自身の回転軸回りに回転可能に支持されたディスク部材として構成され、外周部に歯を有している
ことを特徴とする請求項５または６に記載のシャワーヘッド。
【請求項８】
前記ディスク部材は、樹脂製である
ことを特徴とする請求項７に記載のシャワーヘッド。
【請求項９】
前記ディスク部材は、複数の連通孔を有しており、
前記複数の連通孔の各々は、前記ディスク部材の回転位置に応じて、各ダイヤフラム弁の背圧室に設けられた背圧室流出孔と選択的に連通することで当該ダイヤフラム弁のパイロット孔を解放するようになっている
ことを特徴とする請求項７または８に記載のシャワーヘッド。
【請求項１０】
前記背圧室流出孔と前記ディスク部材との間には、ディスク押え部材が介在しており、  前記ディスク押え部材には、各ダイヤフラム弁の背圧室流出孔と連通する流出連通路が設けられており、
前記ディスク押え部材は、付勢手段によって、前記ディスク部材を前記背圧室流出孔から遠ざける方向に押し付けるようになっている
ことを特徴とする請求項９に記載のシャワーヘッド。
【請求項１１】
各流出連通路は、管状部によって構成されており、
各管状部は、対応する前記背圧室流出孔内に挿入されており、
各管状部と前記背圧室流出孔との間には、隙間が残存するようになっており、
前記隙間は、背圧室流入孔として機能するようになっている
ことを特徴とする請求項１０に記載のシャワーヘッド。
【請求項１２】
使用者が操作力を与える操作部と、
前記操作部の操作の度にそれ自身の軸線方向に往復移動する棒部と、
前記棒部の先端側に取り付けられ、前記ディスク部材の歯と係合する爪を有する爪部材と、
を更に備え、
前記棒部の移動中に、前記爪が前記歯を引き込むことによって、前記ディスク部材が回転されるようになっている
ことを特徴とする請求項７に記載のシャワーヘッド。
【請求項１３】
前記棒部の基端は、前記操作部に接続されており、
前記棒部の周囲には、コイルバネが配置されており、
前記コイルバネの基端は、シャワーヘッド筐体に対して固定されており、
前記コイルバネの先端は、前記爪部材に固定されており、
前記棒部の先端には、前記爪部材のストッパが取り付けられており、
前記爪部材は、前記コイルバネの変形によって、前記棒部に対して相対移動可能であることを特徴とする請求項１２に記載のシャワーヘッド。
【請求項１４】
前記複数のダイヤフラム弁は、一部品のダイヤフラム部材として一体化されている
ことを特徴とする請求項４乃至１３のいずれかに記載のシャワーヘッド。
【請求項１５】
前記ダイヤフラム部材は、周囲にシール部を有している
ことを特徴とする請求項１４に記載のシャワーヘッド。
【請求項１６】
各ダイヤフラム弁は、弾性部材によって閉鎖方向に付勢されている
ことを特徴とする請求項４乃至１５のいずれかに記載のシャワーヘッド。